(57)【特許請求の範囲】
【請求項１】
被検体を載せるベッドと、
治療用放射線を照射する放射線照射ヘッドと、
前記放射線照射ヘッドに接続され、前記放射線照射ヘッドの慣性中心を通る二本の軸を中心として前記放射線照射ヘッドを首振りさせるヘッド首振り機構と、
前記被検体の治療野を含む診断画像を取得する検査装置と、
前記診断画像に基づいて、前記放射線照射ヘッドの照射野が、前記診断画像に基づいて定義された前記治療野を追尾するように、前記ヘッド首振り機構の位置制御を行う制御部と、
を具備し、
前記検査装置は、
前記治療野に診断用放射線を照射するＸ線源と、
前記被検体を透過した前記診断用放射線の透過放射線を検出し、診断画像データとして出力するセンサアレイと、
前記診断画像データに基づいて、前記診断画像を生成する画像処理部と
を備え、
前記制御部は、前記ヘッド首振り機構の位置制御後に、前記放射線照射ヘッドから前記治療用放射線を照射するように前記放射線照射ヘッドの制御を行う、
放射線治療装置。
【請求項２】
前記ヘッド首振り機構は、前記二本の軸を中心として前記放射線照射ヘッドを首振りさせるジンバル機構を含む
請求の範囲第１項に記載の放射線治療装置。
【請求項３】
前記制御部は、
前記治療野を示す前記診断画像上の予め指定された画像パターンに基づいて、前記診断画像内の前記治療野の第１座標を算出し、
前記放射線照射ヘッドの位置と前記放射線照射ヘッドの首振り状態とに基づいて、前記照射野の第２座標を算出し、
前記第１座標と前記第２座標とに基づいて、前記照射野へ前記治療野が含まれるように、前記ヘッド首振り機構の位置制御を行う、
請求の範囲第１項又は第２項に記載の放射線治療装置。
【請求項４】
前記制御部は、所定の時間間隔毎に、前記ヘッド首振り機構の位置制御及び前記放射線照射ヘッドの制御を行う、
請求の範囲第１項乃至第３項のいずれか一項に記載の放射線治療装置。
【請求項５】
前記Ｘ線源は、前記センサアレイと、アイソセンタに対して反対の側の位置にあり、
前記センサアレイは、前記Ｘ線源と比較して前記放射線照射ヘッドの近傍に設けられている、
請求の範囲第１項乃至第４項のいずれか一項に記載の放射線治療装置。
【請求項６】
前記検査装置は、前記Ｘ線源と前記センサアレイとを含む組を複数組備え、
前記画像処理部は、前記複数組の各々から出力される前記診断画像データに基づいて、前記診断画像を生成する、
請求の範囲第１項乃至第５項のいずれか一項に記載の放射線治療装置。
【請求項７】
前記ヘッド首振り機構と前記放射線照射ヘッドが移動する軌道を形成するガイドレールと、
前記ヘッド首振り機構と前記放射線照射ヘッドを移動可能に保持し、前記ヘッド首振り機構と前記放射線照射ヘッドを前記ガイドレールに沿って移動させるヘッド周回移動機構と、
を更に具備する、
請求の範囲第１項乃至第６項のいずれか一項に記載の放射線治療装置。
【請求項８】
前記ガイドレールは、
前記ベッドを幅方向に跨ぐように設けられ、半円弧状の軌道を形成する、
請求の範囲第７項に記載の放射線治療装置。
【請求項９】
前記ガイドレールを、１／４球殻の範囲内で水平軸周りに傾けるレール傾動機構と、
を更に具備する、
請求の範囲第７項又は第８項に記載の放射線治療装置。
【請求項１０】
マイクロ波を発生するマイクロ波発生装置と、
前記マイクロ波を前記放射線照射ヘッドへ導波する導波路と、
を更に具備する、
請求の範囲第１項乃至第９項のいずれか一項に記載の放射線治療装置。
【請求項１１】
前記マイクロ波は、Ｃバンドに属し、
前記放射線照射ヘッドは、前記マイクロ波で電子線を加速する加速管を備える、
請求の範囲第１０項に記載の放射線治療装置。
【請求項１２】
前記マイクロ波は、Ｘバンドに属し、
前記放射線照射ヘッドは、前記マイクロ波で電子線を加速する加速管を備える、
請求の範囲第１０項に記載の放射線治療装置。
【請求項１３】
放射線照射ヘッドと検査装置と制御部とを備える放射線治療装置の作動方法であって、
（ａ）前記検査装置が、被検体を透過した診断用放射線を検出することにより、被検体の治療野を含む診断画像を検出するステップと、
（ｂ）前記制御部が、前記診断画像に基づいて定義された前記治療野としての定義領域を認識するステップと、
（ｃ）前記制御部が、治療用放射線を照射する前記放射線照射ヘッドの照射野が前記治療野を追尾するように、前記放射線照射ヘッドの慣性中心を通る二本の軸を中心として前記放射線照射ヘッドを首振りさせて前記放射線照射ヘッドを前記定義領域へ向けるステップと、
（ｄ）前記放射線照射ヘッドが、前記治療用放射線を発生するステップと、
を具備する、
放射線治療装置の作動方法。
【請求項１４】
前記（ｃ）ステップは、
（ｃ１）前記制御部が、前記診断画像に基づいて、前記定義領域内の画像パターンを代表する位置を示す第１座標を算出するステップと、
（ｃ２）前記制御部が、前記放射線照射ヘッドの位置と向きとに基づいて、前記照射野を代表する位置を示す第２座標を算出するステップと、
（ｃ３）前記制御部が、前記第１座標と前記第２座標とに基づいて、前記第２座標が前記第１座標を追尾するように、前記放射線照射ヘッドを動かすステップと、
を具備する
請求の範囲第１３項に記載の放射線治療装置の作動方法。
【請求項１５】
放射線照射ヘッドと検査装置と制御部とを備える放射線治療装置の作動方法をコンピュータに実行させるプログラムであって、
（ｊ）被検体を透過した診断用放射線を検出することにより前記検出装置で取得された前記被検体の治療野を含む診断画像を受信するステップと、
（ｋ）前記診断画像において、前記治療野として定義された定義領域を認識するステップと、
（ｌ）治療用放射線を照射する放射線照射ヘッドの照射野が前記治療野を追尾するように、前記放射線照射ヘッドの慣性中心を通る二本の軸を中心として前記放射線照射ヘッドを首振りさせて前記放射線照射ヘッドを前記定義領域へ向けるように制御するステップと、
（ｍ）前記首振り後に前記治療用放射線を発生するように、前記放射線照射ヘッドを制御するステップと、
を具備する方法をコンピュータに実行させるプログラム。
【請求項１６】
前記（ｌ）ステップは、
（ｌ１）前記診断画像に基づいて、前記定義領域内の画像パターンを代表する位置を示す第１座標を算出するステップと、
（ｌ２）前記放射線照射ヘッドの位置と向きとに基づいて、前記照射野を代表する位置を示す第２座標を算出するステップと、
（ｌ３）前記第１座標と前記第２座標とに基づいて、前記第２座標が前記第１座標を追尾するように、前記放射線照射ヘッドを制御するステップと、
を具備する
請求の範囲第１５項に記載の方法をコンピュータに実行させるプログラム。
【発明の詳細な説明】
技術分野
本発明は、放射線治療装置に関し、定位放射線治療に用いる放射線治療装置に関する。
背景技術
放射線を用いた癌や腫瘍を治療する放射線治療装置が知られている。定位多軌道で照射する三次元照射放射線治療装置としては、ラジオサージェリ治療装置、リニアック治療装置等が知られている。
ここで、定位多軌道照射とは、小病巣に対して多方向から放射線を集中的に照射して治療効果を上げると共に、周囲組織の被曝量を最小限に抑える放射線治療法である。原発性良性脳腫瘍、大きさが３ｃｍ以下の単発の転移性脳腫瘍、手術操作が難しい頭蓋底転移のような脳内の小病変、あるいは動脈奇形や静脈奇形などの治療にその威力が発揮されている。
ラジオサージェリ治療装置は、治療装置に固定された一つ又は複数の放射線照射ユニットから、細い放射線ビームを、特に高い精度で特定の小領域に集中的に照射する。放射線照射ユニットとしては、ガンマ線源やリニアックを用いる。
ラジオサージェリ治療装置では、定位放射線照射用固定具である精密位置決め／患部固定治具を用いて、患者の頭蓋骨等の患部又はその周辺部を機械的に固定する。そして、このフレームを位置決め用の座標基準治具としてＸ線ＣＴ（Ｃｏｍｐｕｔｅｄ  Ｔｏｍｏｇｒａｐｈｙ）やＭＲＩ、ＤＡＳ（Ｄｉｇｉｔａｌ  Ｓｕｂｔｒａｃｔｉｏｎ  Ａｎｇｉｏｇｒａｐｈｙ）等の診断撮像を行って、患部の正確な位置及び形状を割り出す。そして、一つ又は複数の放射線照射ユニットと、これをコリメートして空間の小領域に治療用放射線を集中させるコリメート機構から構成される照射装置へ、このフレームのままで患者を機械的に固定する。これにより、上記小領域に照射野を機械的に精密に合わせて、精密な定位照射を行っている。治療野が球形の場合には、１度の照射で所要の治療線量を照射することも可能である。治療野が不定形の場合、治療野の形状に合わせて、数回に分けて位置決めを繰り返す。同時に、コリメータの口径もその都度選びなおして照射治療を行っている。
ラジオサージェリ治療装置では、装置や手順が極めてシンプルであり、高い信頼性が得られる。それと共に、頭部のように頭蓋骨に対して照射対象が移動しない場合には、極めて精密な位置決め及び照射が可能である。ただし、放射線照射ユニットの照射野は固定されているため、頚部以下の呼吸や心鼓動、蠕動や膀胱内の尿量等、臓器の運動や状態の影響を受けて腫瘍や奇形等の照射野が移動する体部に対しては、定位照射治療を実施していない。また、厳密には、患部をリアルタイムで観察しながら放射線を照射してはいない。
リニアック治療装置では、大型のガントリが設置面に対して平行な１軸周りに３６０度回転することにより、アイソセントリックな照射治療を行っている。これに加えて、治療用ベッドの上下及び水平面内での２次元の移動及び同水平面内での回転を加えることにより、多様な照射が可能となっている。また、ＭＬＣ（Ｍｕｌｔｉ  Ｌｅａｆ  Ｃｏｌｌｉｍａｔｏｒ）により、複雑な形状の照射野にも対応でき、照射線量分布を制御して、精密な照射治療（ＩＭＲＴ：Ｉｎｔｅｎｓｉｔｙ  Ｍｏｄｕｌａｔｅｄ  Ｒａｄｉｏ  Ｔｈｅｒａｐｙ）が可能となっている。
リニアック治療装置では、高速の位置制御はできない。そのため、心鼓動による移動のような高速に移動する治療野へのリアルタイムの追従照射は出来ない。また、照射中の照射野のモニタ手段としては、治療用Ｘ線の透過線によるライナックグラフィを用いている。治療用Ｘ線は、透過性が強く散乱線も多いため、照射野のリアルタイムモニタ用の画質は高くない。
呼吸運動のみに対しては呼吸同期装置による同期照射が行われている。これは、患部画像をリアルタイムでイメージングすることが出来ないため、患部位置を所定の方法で推定する。そして、患部が決められた照射位置に来たと推定される時点で照射装置にトリガを掛けて治療照射する。推定する方法としては、患部に取り付けたマーカを光学的に追尾する、あるいは、呼気の流量を直接計測することにより、患者の呼吸の状態を把握して患部の移動を推定する等による。
ただし、同期照射は、患部位置を推定し、推定された位置へ向かって放射線を照射している。従って、患部をリアルタイムで追尾しながら放射線を照射してはいない。
他の三次元照射放射線治療装置として、電子リニアックをアイソセントリックに駆動する装置や、電子リニアックを所定の形状のガントリに沿って駆動する装置が知られている。
電子リニアックをアイソセントリックに駆動する装置としては、産業用の汎用ロボットアームの先端に小型の電子リニアックを装備したものがある。患部の正確な形状や位置は、Ｘ線ＣＴやＭＲＩ等により、頭蓋骨や胸部といったランドマーク的な体組織や患部付近に標識として埋め込んだ小型の金プレート等のマーカに関連付けて割り出す。そして、装置は、治療照射時には、異なる目視線を持つ２台のＸ線カメラにより、ランドマークの動きを監視して照準を補正しつつ、精密な照射を行うものである。この装置は、６自由度ロボットアームの自在な移動能力により、本質的にノンアイソセントリックな照射治療が可能である。
この装置は、頭部治療の場合、頭部固定用の固定具を使用するが、患部の画像を直接見ながら照射しているわけではない。すなわち、治療ビームの照射線中に、Ｘ線カメラによる撮像を行っていない。そのため、照射開始前に撮像を完了し、照射位置を確認してから照射を開始する方法をとっている。従って、この場合にもリアルタイムに照射野をモニタしてはいない。また、電子リニアックは重量が大きいため、片持ち構造のロボットアームの先端で保持しながら、心鼓動のような早い動きに対してリアルタイムに精密な追従照射を行うには、イナーシャ等の問題の解決が必要である。
また、産業用ロボットアームは、指定した空間座標に対して絶対的な精度を保証しているわけではなく、ティーチングによる繰り返し精度を保証するに止まっている。そのため、実際の治療に先だって、ティーチングやそれに関わる作業が必要である。
電子リニアックを所定の形状のガントリに沿って駆動する装置としては、例えば、特表平８−５０４３４７号公報（国際出願番号：ＰＣＴ／ＵＳ９３／１１８７２）及び特表平６−５０２３３０号公報（国際出願番号：ＰＣＴ／ＵＳ９１／０７６９６）に開示されている。この技術の定位放射線治療装置は、２つの回転軸を持ったＣ−アーム型Ｘ線カメラと、同様に２つの回転軸を持った医療用電子リニアックとを備えている。１軸方向の回転しか出来なかった従来の電子リニアックに対して、更に他の回転軸を付け加えることにより、３次元的な照射を行うことが出来る。ただし、照射方式は、アイソセントリックであり、フレームで頭部を固定する必要がある点では、ラジオサージェリ治療装置の場合と同様である。また、大型ガントリを２軸で駆動する点でラジオサージェリ治療装置の場合と異なる。
患者の患部は、治療中にも動いている。特に、頚部から下では、呼吸や心鼓動、蠕動や膀胱内の尿量等、臓器の運動や状態の影響を受けて腫瘍等の照射対象が常時動いている。例えば、患者が横になるだけで、体が徐々に扁平になって行く。また、周期的な動作である呼吸や心鼓動は、周期的であるにもかかわらず、それに伴う各臓器の動きは毎回同じ経路を通るとは限らない。
一方、照射対象の動きをリアルタイムに正確に捉えようとすれば、最も速い動きの一つである心鼓動は、１〜２回／秒であるため、３０画像／秒程度の画像撮影技術が必要といわれている。そして、照射対象をリアルタイムに正確に追尾し、放射線を照射しようとすれば、１／３０秒毎に正確に放射線照射ヘッドを照射対象へ向けることが必要である。
放射線の治療野が移動する場合でも、治療野を追従しながら放射線を照射することが可能な技術が求められている。リアルタイムに治療野の状態をモニタすることが可能な技術が望まれている。広範囲の領域から迅速な照準合わせを行い放射線照射を実施することが可能な技術が望まれている。治療効果を高めながら患者に対する放射線照射の負担を軽減することが可能な技術が望まれている。
従って、本発明の目的は、放射線治療における治療野が移動する場合でも、治療野を追従しながら放射線を照射することが可能な放射線治療装置を提供することである。
また、本発明の他の目的は、放射線の照射治療中においても、リアルタイムに治療野の状態をモニタすることが可能な放射線治療装置を提供することである。
本発明の更に他の目的は、１回転軸周りの照射や、アイソセントリック照射だけでなく、広範囲の領域から迅速な照準合わせを行い放射線照射を実施することが可能な放射線治療装置を提供することである。
本発明の別の目的は、放射線の照射を正確に行い、治療効果を高めながら患者に対する負担を軽減することが可能な放射線治療装置を提供することである。
発明の開示
以下に、［発明を実施するための最良の形態]で使用される番号・符号を用いて、発明の開示を説明する。これらの番号・符号は、［請求の範囲］の記載と［発明を実施するための最良の形態］との対応関係を明らかにするために括弧付きで付加されたものである。ただし、それらの番号・符号を、［請求の範囲］に記載されている発明の技術的範囲の解釈に用いてはならない。
従って、上記課題を解決するために、本発明の放射線治療装置は、ベッド（７−２）と、放射線照射ヘッド（１０）と、ヘッド首振り機構（１３１、１３２）と、精密検査装置（３０）と、制御部（８０）とを具備する。
ベッド（７−２）は、被検体（４）を載せる。放射線照射ヘッド（１０）は、被検体（４）の治療野（５）へ治療用放射線（３ａ）を照射する。ヘッド首振り機構（１３１、１３２）は、放射線照射ヘッド（１０）に接続され、放射線照射ヘッド（１０）から出射される治療用放射線（３ａ）が、治療野（５）の動きに追従するように放射線照射ヘッド（１０）を首振りさせる。精密検査装置（３０）は、治療野（５）を含む診断画像を取得する。制御部（８０）は、その診断画像と、放射線照射ヘッド（１０）の位置と、放射線照射ヘッド（１０）の首振り状態とに基づいて、放射線照射ヘッド（１０）の照射野（５’）が治療野（５）を追尾するように、ヘッド首振り機構（１３１、１３２）の位置制御を行う。
そして、制御部（８０）は、ヘッド首振り機構（１３１、１３２）の位置制御後に、放射線照射ヘッド（１０）から治療用放射線（３ａ）を照射するように放射線照射ヘッド（１０）の制御を行う。
また、本発明の放射線治療装置は、制御部（８０）が、治療野（５）を示すその診断画像上の予め指定された画像パターン（５−２）に基づいて、その診断画像内の治療野（５）の座標としての第１座標（Ｘ、Ｙ、Ｚ）を算出する。また、放射線照射ヘッド（１０）の位置と放射線照射ヘッド（１０）の首振り状態とに基づいて、照射野（５’）の座標としての第２座標（ｘ、ｙ、ｚ）を算出する。そして、第１座標（Ｘ、Ｙ、Ｚ）と第２座標（ｘ、ｙ、ｚ）とに基づいて、照射野（５’）へ治療野（５）が含まれるように、ヘッド首振り機構（１３１、１３２）の位置制御を行う。
また、本発明の放射線治療装置は、制御部（８０）が、所定の時間間隔毎に、ヘッド首振り機構（１３１、１３２）の位置制御及び放射線照射ヘッド（１０）の制御を行う。
また、本発明の放射線治療装置は、精密検査装置（３０）が、Ｘ線源（９７）と、センサアレイ（９８）と、画像処理部（３１）とを具備する。
Ｘ線源（９７）は、被検体（４）の治療野（５）に診断用放射線（３ｂ）を照射する。センサアレイ（９８）は、被検体（４）を透過した診断用放射線（３ｂ）の透過放射線を検出し、診断画像データとして出力する。画像処理部（３１）は、その診断画像データに基づいて、治療野（５）のその診断画像を生成する。
また、本発明の放射線治療装置は、精密検査装置（３０）において、Ｘ線源（９７）とセンサアレイ（９８）とが、アイソセンタ（５ａ）に対して点対称の位置にある。そして、センサアレイ（９８）は、Ｘ線源（９７）と比較して放射線照射ヘッド（１０）の近傍に設けられている。
また、本発明の放射線治療装置は、精密検査装置（３０）が、Ｘ線源（９７）とセンサアレイ（９８）とを含む組を複数組備えている。そして、画像処理部（３１）は、その複数組の各々から出力されるその診断画像データに基づいて、治療野（５）のその診断画像を生成する。
また、本発明の放射線治療装置は、ガイドレール（９）と、ヘッド周回移動機構（６８）とを更に具備する。
ガイドレール（９）は、ヘッド首振り機構（１３１、１３２）と放射線照射ヘッド（１０）が移動する軌道を形成する。ヘッド周回移動機構は、ヘッド首振り機構（１３１、１３２）と放射線照射ヘッド（１０）を移動可能に保持し、ヘッド首振り機構（１３１、１３２）と放射線照射ヘッド（１０）をガイドレール（９）に沿って移動させる。
また、本発明の放射線治療装置は、ガイドレール（９）が、ベッド（７−２）を幅方向に跨ぐように設けられている。そして、半円弧状の軌道を形成する。
また、本発明の放射線治療装置は、ガイドレール（９）を、１／４球殻の範囲内で水平軸（２６）周りに傾けるレール傾動機構（２８）を更に具備する。
また、本発明の放射線治療装置は、ヘッド首振り機構（１３１、１３２）が、放射線照射ヘッド（１０）を互いに直交する二つの軸（Ｓ１、Ｓ２）の各々の周りで首振りさせる。
また、本発明の放射線治療装置は、マイクロ波発生装置（７０）と、導波路（５１）とを更に具備する。
マイクロ波発生装置（７０）は、マイクロ波を発生する。導波路（５１）は、一端をマイクロ波発生装置（７０）に、他端を放射線照射ヘッド（１０）に接続している。そして、そのマイクロ波を放射線照射ヘッド（１０）へ導波する。
また、本発明の放射線治療装置は、そのマイクロ波が、Ｃバンドに属している。
そして、放射線照射ヘッド（１０）は、そのマイクロ波で電子線を加速する加速管（１１０）を備える。
また、本発明の放射線治療装置は、そのマイクロ波が、Ｘバンドに属している。
そして、放射線照射ヘッド（１０）は、そのマイクロ波で電子線を加速する加速管（１１０）を備える。
上記課題を解決するために、本発明の放射線治療方法は、被検体（４）の治療野（５）を含む診断画像を検出するステップと、その診断画像から治療野（５）としての定義領域（５−１）を定義するステップと、定義領域（５−１）内の画像パターン（５−２）を認識するステップと、治療用放射線（３ａ）を被検体（４）へ照射する放射線照射ヘッド（１０）の照射野（５’）が、治療野（５）を追尾するように、放射線照射ヘッド（１０）を移動するステップと、照射野（５’）へ治療用放射線（３ａ）を照射するステップとを具備する。
また、本発明の放射線治療方法は、放射線照射ヘッド（１０）を移動するステップにおいて、その診断画像に基づいて、画像パターン（５−２）の位置を示す第１座標（Ｘ、Ｙ、Ｚ）を算出するステップと、放射線照射ヘッド（１０）の位置と向きとに基づいて、照射野（５’）の位置を示す第２座標（ｘ、ｙ、ｚ）を算出するステップと、第１座標（Ｘ、Ｙ、Ｚ）と第２座標（ｘ、ｙ、ｚ）とに基づいて、第２座標（ｘ、ｙ、ｚ）が第１座標（Ｘ、Ｙ、Ｚ）を追尾するように、放射線照射ヘッド（１０）を移動するステップとを具備する。
上記課題を解決するために、本発明に関するプログラムは、検出された被検体（４）の治療野（５）を含む診断画像を受信するステップと、その診断画像において、治療野（５）として定義された定義領域（５−１）の画像パターン（５−２）を認識するステップと、治療用放射線（３ａ）を被検体（４）へ照射する放射線照射ヘッド（１０）の照射野（５’）が、治療野（５）を追尾するように、放射線照射ヘッド（１０）を制御するステップと、照射野（５’）へ治療用放射線（３ａ）を照射するように、放射線照射ヘッド（１０）を制御するステップとを具備する方法をコンピュータに実行させる。
また、本発明に関するプログラムは、照射野（５’）が治療野（５）を追尾するように放射線照射ヘッド（１０）を制御するステップにおいて、その診断画像に基づいて、画像パターン（５−２）の位置を示す第１座標（Ｘ、Ｙ、Ｚ）を算出するステップと、放射線照射ヘッド（１０）の位置と向きとに基づいて、照射野（５’）の位置を示す第２座標（ｘ、ｙ、ｚ）を算出するステップと、第１座標（Ｘ、Ｙ、Ｚ）と第２座標（ｘ、ｙ、ｚ）とに基づいて、第２座標（ｘ、ｙ、ｚ）が第１座標（Ｘ、Ｙ、Ｚ）を追尾するように、放射線照射ヘッド（１０）を制御するステップとを具備する上記に記載の方法をコンピュータに実行させる。
本発明の放射線治療装置は、放射線照射ヘッド（１０）を、１軸若しくは２軸の方向にアイソセントリックに移動して位置決めする機構（９、２８）に加えて、放射線照射ヘッド（１０）を１軸若しくは２軸の方向に小角回転運動（首振り）させる機構（１３１、１３２）を追加することにより、擬似的にノンアイソセントリックな照射が可能となる。不定形な照射野（５’）への対応や、照射野（５’）の移動に対する追従で求められるノンアイソセントリックな成分は、照射野（５’）で５０ｍｍ以下である。放射線源とアイソセントリックな照射野（５’）の距離ＳＡＤ（Ｓｏｕｒｃｅ  Ａｘｉｓ  Ｄｉｓｔａｎｃｅ）としては、通常の電子リニアックの場合に、８０ｃｍ〜１００ｃｍの値である。ＳＡＤが１００ｃｍの場合、放射線照射ヘッド（１０）に要求される小角回転運動（首振り）角度は、約３度である。この運動によるＳＡＤの変化は、０．２％であり、ＳＡＤの変化による治療用放射線（３ａ）のビームの直径の変化は無視できる範囲である。また、放射線照射ヘッド（１０）の慣性中心を軸としてこの回転運動を行うように機構上の工夫をすることにより、駆動機構への負担の軽減を図ることが出来る。放射線照射ヘッド（１０）の回転軸周りのモーメントと同じモーメントのダミーウェイトを、回転方向と逆に駆動することにより、小角回転運動（首振り）に伴う反力を相殺することも可能である。
Ｘ線カメラやＤＳＡ（Ｄｉｇｉｔａｌ  Ｓｕｂｔｒａｃｔｉｏｎ  Ａｎｇｉｏｇｒａｐｈｙ）、Ｘ線ＣＴ等のイメージャ（３０）と機械的に干渉しないように、上記機構の形状を工夫し、イメージャ（３０）と上記機構が共通の位置座標を持つようにする。また、イメージャ（３０）の画像取り込みタイミングと、治療用放射線（３ａ）の照射タイミングを時分割で実施するようにタイミング制御することにより、治療用放射線（３ａ）のイメージャ（３０）への影響を防止して、治療照射中でも、リアルタイムで治療野の画像をモニタすることが出来る。
モニタ画像（ディスプレイ）中の中で、治療野画像について、適切なアルゴリズムで画像追尾を行い、これに追従して上記小角回転運動（首振り）を制御することにより、移動する治療野への追従照射治療が可能となる。
更に、適切なマンマシンインタフェイス及び安全機構を装備することにより、安全性・信頼性の高い放射線治療装置の実現が可能になる。
発明を実施するための最良の形態
以下、本発明である放射線治療装置の実施の形態に関して、添付図面を参照して説明する。
（実施例１）
本発明である放射線治療装置の第１の実施の形態に関して、添付図面を参照して説明する。
図１〜図３は、本発明である放射線治療装置の第１の実施の形態における構成を示す側面図、正面図及び斜視図である。図により、一部省略して表示している。座標２００は、図１〜図３におけるＸ軸、Ｙ軸及びＺ軸を有する３次元直交座標を示す。
放射線治療装置６は、治療用ベッドシステム７、Ｘ線ヘッド１０、第１首振り機構１３１、第２首振り機構１３２、アークガイドレール９、マイクロ波発生装置７０、従動型導波管系１１、リアルタイム・イメージャ３０を備えている。
治療用ベッドシステム７は、ベッド駆動システム７−１、治療用ベッド７−２及び患者固定装置７−３を備える。
治療用ベッド７−２は、放射線治療を施す患者４を載せて移動する。ベッド駆動システム７のＸ−Ｙテーブル上に搭載されている。患者固定装置７−３は、患者４を治療用ベッド７−２に固定する。ベッド駆動システム７−１は、内蔵された駆動機構（図示されず）により治療用ベッド７−２を、治療用ベッド７−２の長手方向（Ｘ軸方向）と幅方向（Ｙ軸方向）と高さ方向（Ｚ軸方向）との３軸方向に移動可能である。そして、ベッド駆動システム７−１は、システム制御装置８０（後述）の制御により、リアルタイム・イメージャ３０（本実施例では、Ｘ線ＣＴ検査装置）の撮影画像データに基づいて、照射野５’となる患部５がアイソセンタ５ａに位置するように治療用ベッド７−２の位置を調整する。治療用ベッド７−２及び患者固定装置７−３には、リアルタイム・イメージャ３０やＸ線用固体撮像素子（Ｘ線ＣＣＤ）、ＰＥＴ（Ｐｏｓｉｔｒｏｎ  Ｅｍｉｓｓｉｏｎ  Ｔｏｍｏｇｒａｐｈｙ）、等の画像診断機器の使用に適した材質及び形状が選択される。
Ｘ線ヘッド１０は、照射野５’（患部５）に治療用Ｘ線３ａを照射する放射線照射ヘッドである。治療用Ｘ線３ａを出射する小型電子リニアックを備える。アークガイドレール９（後述）に周回移動機構６８（後述）を介して移動可能に取り付けられている。第１首振り機構１３１（後述）及び第２首振り機構１３２（後述）を備える。Ｘ線ヘッド１０は、全長が５００〜６００ｍｍ、幅５００ｍｍ、深さ３００ｍｍ、重量６０〜８０ｋｇである。
第１首振り機構１３１は、Ｘ線ヘッド１０をアークガイドレール９上で、第１首振り軸Ｓ１の周りでＲ１のように揺動（回転運動）させる機構である。第１首振り軸Ｓ１は、Ｘ線ヘッド１０が首振りしたときの慣性が小さくなるように、Ｘ線ヘッド１０の慣性中心をほぼ通る軸上又はその近傍に設けられている。
第２首振り機構１３２は、Ｘ線ヘッド１０をアークガイドレール９上で、第２首振り軸Ｓ２の周りでＲ２のように揺動（回転運動）させる機構である。第２首振り軸Ｓ２は、Ｘ線ヘッド１０が首振りしたときの慣性が小さくなるように、Ｘ線ヘッド１０の慣性中心をほぼ通る軸上又はその近傍に設けられている。
アークガイドレール９は、ガイドレール傾動機構２８と周回移動機構６８とを含む。
アークガイドレール９は、治療用ベッド７−２より上半分の円弧状をなす半円リングを備え、治療用ベッド７−２を跨ぐように設けられている。ガイドレール傾動軸２６は、半円の両端及び中心を結ぶＹ軸方向の軸であり、円の中心はアイソセンタ５ａと一致する。このアークガイドレール９は、ガイドレール傾動機構２８により傾動可能に支持されている。ガイドレール傾動機構２８は、アークガイドレール９をガイドレール傾動軸２６の周りに０度（Ｚ軸正方向に直立する位置）〜９０度（Ｘ軸正方向に横倒しとなる位置）の範囲内で図１のＧ１に示すように傾ける。すなわち、アークガイドレール９は、アイソセンタ５ａを中心とした四分の一球（１／４球殻）を描くように運動する。アークガイドレール９は、例えば、ステンレス鋼のように剛性の大きい材料で造られ、幅２００〜４００ｍｍ、厚み２０〜５０ｍｍ、アイソセンタ５ａからの半径８００〜１０００ｍｍである。
また、周回移動機構６８は、図２のＨ１に示すように、Ｘ線ヘッド１０をアークガイドレール９に沿って、アークガイドレール９の半円弧上を周回移動させる。ラック・アンド・ピニオン方式やベルト方式を採用することが出来る。
上記の３軸の駆動（Ｇ１、Ｈ１）により、Ｘ線ヘッド１０は、アイソセンタ５ａを中心とする１／４球殻上でアイソセントリックな動き（Ｘ線ヘッド１０はアイソセンタ５ａを向く）が可能となる。更に、上記の２軸の駆動（Ｒ１、Ｒ２）により、Ｘ線ヘッド１０は、１／４球殻上で擬似的にノンアイソセントリックな動き（Ｘ線ヘッド１０はアイソセンタ５ａ周辺近傍の３次元の領域５ｂ（図２参照）内の所望の点を向く）が可能となる。この擬似ノンアイソセントリック動作は、Ｘ線ヘッド１０の慣性中心周りの首振り運動であるため、アイソセントリック動作と比較して各段に素早い動きを行うことが出来る。擬似ノンアイソセントリックな高応答性の迅速な追尾モーションにより、例えば心鼓動等の早い動きに対してもヘッド照準を高応答かつ精密に追従させることが出来る。
マイクロ波発生装置７０は、クライストロンを含み、導波路に関わるサーキュレータ２１及びダミーロード２２を有し、従動型導波管系１１を介して、Ｘ線ヘッド１０へ電子加速用のマイクロ波を供給する。ここでは、Ｃバンド（５．６ＧＨｚ）のマイクロ波を供給する。
従動導波管系１１は、マイクロ波発生装置７０で発生したマイクロ波を、Ｘ線ヘッド１０へ供給する導波路である。関節部１４ａ、リンクアーム１２、関節部１４ｂ、リンクアーム１３、関節部１４ｃ、リンクアーム１５、関節部１６、Ｘ線ヘッド１０を互いに連結してリンク機構を形成している。関節部１４ａのみがＹ軸方向の軸の周りに回転可能であり、関節部１４ｂ、関節部１４ｃ、関節部１６は、Ｘ軸方向の軸の周りに回転可能である。なお、リンク先端のＸ線ヘッド１０は、周回移動機構６８により、アークガイドレール９に沿ってスライドし、また、第１首振り機構１３１により関節部１６周りに首振りされる。
そして、関節部１４ａ、１４ｂ、１４ｃ及び１６は、マイクロ波を軸回転で伝えるロータリＲＦカプラ５０（後述）を含む。リンクアーム１２、１３及び１５は、導波管５１（後述）を含み、関節部１４ａ〜１４ｃ、１６により、電磁気的に連通している。マイクロ波発生装置７０で発生したマイクロ波は、関節部１４ａ−リンクアーム１２−関節部１４ｂ−リンクアーム１３−関節部１４ｃ−リンクアーム１５−関節部１６を介して、Ｘ線ヘッド１０へ供給される。
リアルタイム・イメージャ３０は、Ｘ線ＣＴ検査装置である。Ｘ線ＣＴ検査装置は、被検体４の治療野５に弱いファンビームＸ線である診断用Ｘ線３ｂを３６０度全周にわたるタ方面から次々に照射して、その透過像を検出し、検出データを画像処理することによりコンピュータ画面上に治療野５の３次元断層診断画像を表示させる。リアルタイム・イメージャ３０は、システム制御装置８０により制御される。
リアルタイム・イメージャ３０は、一般のＸ線ＣＴを使用できる。リアルタイム・イメージャ３０は、図１に示すイメージャ傾斜機構２０により所定の角度に傾斜（例えば、垂直軸に対して２０度〜３０度の傾き）した姿勢で支持されている。イメージャ傾斜機構２０を駆動させると、リアルタイム・イメージャ３０は、軸周りに傾動（図１中、Ｋ１で表示）し、診断用Ｘ線３ｂの照射角度が変えられるようになっている。なお、リアルタイム・イメージャ３０とアークガイドレール９とは、機械的に密に結合されており、共通の座標基準を持つ。
リアルタイム・イメージャ３０は、アークガイドレール９及びＸ線ヘッド１０が干渉しないように制御される。イメージャとして、通常のＸ線カメラを用いる場合には、必要に応じて、小型の金プレートを照射野の付近に埋め込んでマーカとしてこれを基準に照射野を標識する。
診断用スペースとしての中央開口を持つドーナッツ状真空槽を具備し、この診断用スペースに被検体としての患者４が治療用ベッド７−２と共に出し入れされる。真空槽の内部は図示しない排気ポートを介して真空ポンプにより真空排気される。
真空槽内には、外周寄りの同心円上に配列された複数の診断用Ｘ線発生ユニットと、これらに対応して内周寄りの同心円状に配列された複数のセンサアレイとが、それぞれ設けられている。これらの診断用Ｘ線発生ユニットとセンサアレイとはＸ軸方向にシフトして配列され、診断用Ｘ線３ｂは真空槽の半径に対して前傾する方向に扇状に照射されるようになっている。このため、扇状の診断用Ｘ線３ｂは、Ｘ線照射側（上側）のセンサアレイに遮られることなく、診断用スペースの被検体４を透過して、反対側（下側）のセンサアレイで検出することが出来る。
更に、真空槽には、ビームリミッタ、電子銃駆動回路、画像信号ディジタイザなどがそれぞれ適所に配置されている。診断用Ｘ線発生ユニットから放射された扇状の診断用Ｘ線３ｂは、図示しないコリメータにより絞られ、更にビームリミッタにより照射位置での幅に規定され、被検体４を透過した後にセンサアレイにより検出される。
センサアレイは、被検体４を透過した診断用Ｘ線３ｂを受信（受光）する。被検体４が配置される診断用スペースを取り囲む円周上に稠密に固定して配置され、多数の超高感度ＣｄＴｅセンサを備え、０．５ｍｍの分解能を有している。検査時における１ショットの撮像幅は８０ｍｍである。また、診断用Ｘ線３ｂの照射時間は、１ショット当たり０．００２５〜０．０１秒である。
センサアレイで検出されたＸ線透過データは、透過Ｘ線量に比例した電流信号に変換され、プリアンプ、メインアンプを介して画像信号ディジタイザ及びデータ収録装置に送られて、診断画像データとして収録される。診断用Ｘ線３ｂによる撮像、データ収録等は、システム制御装置８０により制御される。収録された診断画像データは、データ収録装置からイメージャ信号処理装置３１（図９参照）へ出力され、イメージャ信号処理装置３１でデータ処理される。処理されたデータは、患部５のＸ線ＣＴ診断画像としてシステム制御装置８０のディスプレイ上に再生表示される。
一方、リアルタイム・イメージャ３０のＸ線発生制御装置の出力側には電源及び診断用Ｘ線発生ユニット内のアノード、カソード、ゲートアレイのグリット電極がそれぞれ接続されている。システム制御装置８０からＸ線発生指令信号がＸ線発生制御装置に向けて出力されると、その指令に基づいて、Ｘ線発生制御装置は、電源から電子銃駆動回路への給電動作を制御すると共に、ゲートアレイの中から撮影部位に適したグリット電極を選択する。これに応じて診断用Ｘ線発生ユニット内のいずれかのカソードから電子線が放射され、選択したグリット電極に印加したマイナスのバイアス電圧が解除されてゼロ電位となり、電子線がグリット電極の孔を通過してアノードに入射する。アノードに電子線が入射すると、アノードから２次Ｘ線が発生し、窓に取り付けられたコリメータを介して、患者４に向けて扇状の治療用Ｘ線３ｂが放射される。
リアルタイム・イメージャ３０は、Ｘ線ＣＴ検査装置である必要はなく、Ｘ線源とそれに対向するセンサアレイの組であっても良い。それを示しているのが、図２３である。
図２３は、本発明の放射線治療装置の第１の実施の形態の他の構成を示す斜視図である。図２３は、図１〜図３に比較すると、リアルタイム・イメージャ３０の構成が異なる。
このリアルタイム・イメージャ３０は、回転駆動機構９５、保持フレーム９６Ａ、９６Ｂ、通常のＸ線カメラを構成する２組のＸ線源９７Ａ、９７Ｂ及びセンサアレイ９８Ａ、９８Ｂのセットを具備する。
保持フレーム９６Ａ、９６Ｂは、それぞれ、その一端に通常のＸ線カメラを構成するＸ線源９７Ａ、９７Ｂを、他端にセンサアレイ９８Ａ、９８Ｂを設けられている。保持フレーム９６Ａ、９６Ｂは、中心部を回転駆動機構９５に取り付けられている。
センサアレイ９８Ａは、Ｘ線ヘッド１０のＹ軸方向の一方側の近傍に配置されている。そのセンサ側平面の中央部からの垂線がアイソセンタ５ａを向き、その延長線上にＸ線源９７Ａが配置される。同様に、センサアレイ９８Ｂは、Ｘ線ヘッド１０のＹ軸方向の他方側の近傍に配置されている。そのセンサ側平面の中央部からの垂線がアイソセンタ５ａを向き、その延長線上にＸ線源９７Ｂが配置される。
回転駆動機構９５は、２組のＸ線源９７Ａ、９７Ｂ及び、センサアレイ９８Ａ、９８Ｂのセットが所望の位置に来るように、アイソセンタ５ａを通りＸ軸と平行なリアルタイム・イメージャ回転軸Ｑを中心として保持フレーム９６Ａ、９６Ｂを回転する。
２組のＸ線源９７Ａ、９７Ｂ及び、９８Ｂのセットは、互いに所定の角度を保持するように制御される。所定の角度は、センサアレイ９８Ａ又はセンサアレイ９８Ｂ−アイソセンタ５ａ−Ｘ線ヘッド１０の成す角は、６０度〜２０度である。より好ましくは、４５度〜３０度である。これは、Ｘ線ヘッド１０、Ｘ線源９７Ａ及びＸ線源９７Ｂが、相互に影響を及ぼし合わずに、それぞれが正確に動作し、十分な精度を有する診断画像も得られる条件に基づいて設定される。
ただし、２組のＸ線源９７Ａ、９７Ｂ及び、センサアレイ９８Ａ、９８Ｂのセットは、Ｘ線源−センサアレイのセットの目視線は互いに一致しないようにすれば、それぞれ独立に位置の制御を行なっても良い。
図２３の場合、リアルタイム・イメージャ３０のＸ線発生制御装置の出力側には、電源及びＸ線源９７Ａ、９７Ｂ内のアノード、カソード、グリット電極がそれぞれ接続されている。システム制御装置８０からＸ線発生指令信号がＸ線発生制御装置に向けて出力されると、その指令に基づいて、Ｘ線発生制御装置は、電源から電子銃駆動回路への給電動作を制御すると共に、回転駆動機構９５を動作して、Ｘ線ヘッド１０との位置関係から最適な場所へ２組のＸ線源−センサアレイのセットを移動させる。これに応じてＸ線源９７Ａ、９８Ｂ内のカソードから電子線が放射され、グリット電極に印加したマイナスのバイアス電圧が解除されてゼロ電位となり、電子線がグリット電極の孔を通過してアノードに入射する。アノードに電子線が入射すると、アノードから２次Ｘ線が発生し、窓に取り付けられたコリメータを介して、患者４に向けて扇状の治療用Ｘ線３ｂが放射される。
Ｘ線源９７Ａ及びＸ線源９７Ｂは、図２３におけるＸ線ヘッド１０−アイソセンタ５ａを結ぶ直線を挟んで互いに反対の側に確実にある。センサアレイ９８Ａ及びセンサアレイ９８Ｂも、同様である。これにより、患者４の体内における各部位の動きを迅速かつ正確に把握することが出来る。
また、センサアレイ９８Ａ、９８Ｂは、Ｘ線ヘッド１０側に取り付けられているので、非常に強力なＸ線である治療用Ｘ線３ａがセンサアレイ９８Ａ、９８Ｂに入射することがない。
図１に示すＳＡＤ（Ｓｏｕｒｃｅ  Ａｘｉｓ  Ｄｉｓｔａｎｃｅ）は、アイソセンタ５ａからＸ線ヘッド１０内のターゲット１２１（後述）までの距離に相当する。本実施例では、基準となるＳＡＤを８０〜１００ｃｍに設定している。
次に、図４及び図５を参照しながらＸ線ヘッド１０について詳細に説明する。
図４は、本発明の放射線治療装置に適用されるＸ線ヘッド１０の構成を示す図である。図４（ａ）は、全体図であり、図４（ｂ）は、図４（ａ）のＡＡ断面図、図４（ｃ）は、ＢＢ断面図である。
Ｘ線ヘッド１０は、４ＭｅＶ〜１０ＭｅＶの電子エネルギを有する治療用Ｘ線３ａを発生する小型の電子リニアックを備える。アイソセンタ５ａを中心とする上半後部の１／４球殻の範囲内で３次元移動して、多方向から放射線を照射できるように、アークガイドレール９に可動支持されている。それと共に、従動型導波管系１１のロータリＲＦカプラ１６に首振り可能に連結されている。
Ｘ線ヘッド１０は、ヘッドカバー１０１でＸ線ヘッド１０の本体部が覆われ、本体部の先端側に放射線を放射するための出射部１２０が取り付けられている。ヘッド本体部を覆うヘッドカバー１０１内には、電気回路／冷却水回路１１６、加速管１１０、ＲＦ窓５２、導波管５１、ロータリＲＦカプラの一部５０Ｂ、排気管１０７、イオンポンプ１１２、ターゲット排気室１１９、ターゲット１２１、冷却板１２２が設けられている。
加速管１１０の尾部の絶縁硝子１０３から外部電源に接続されたケーブル（図示されず）がヘッドカバー１０１内に導入され、電子銃１０４のカソード１０５に接続されている。このカソード１０５と向き合ってアノード１０６が配置されている。電子銃１０４の電源はシステム制御装置８０により制御される。
カソード１０５とアノード１０６との間はイオンポンプ１１２に連通する排気管１０７により排気される。排気される空間は、電子銃１０４から加速管１１０へ続き、更に加速管１１０から出射部１２０へ続いている。イオンポンプ１１２は、加速管１１０に直結しているため、加速管１１０の真空度を常に高真空に保つことが出来、安定した電子線を、安定的に加速することが可能である。そして、それにより、治療用Ｘ線３ａを安定的に出力することが可能となる。
絶縁硝子１０３から加速管１１０の先端までの長さは約３６０ｍｍである。この大きさは、従来用いられている加速管の１／３程度に大幅に小型化、かつ軽量化されている。これは、従来使用されてるＳバンドのマイクロ波ではなく、高周波数（高エネルギー）のＣバンド（５．６ＧＨｚ）のマイクロ波を用いているからである。
図５は、図４（ｃ）の電子銃１０４及び加速管１１０近傍の拡大図である。
図５に示すように、電子銃１０４のアノード１０６の中央孔は、加速管１１０のバンチャ空洞１０９に連通している。加速管１１０の内部には、更に、電子ビーム通過用の中央孔を有する複数の加速空洞１１１ｂが繋がって配置されている。加速管１１０は、バンチャ空洞１０９及び複数の加速空洞１１１ｂの中央孔に、電子銃１０４から出射された電子線を通過させながら加速させ、高エネルギの電子ビームとして、Ｘ線ターゲット１２１に衝突させる。加速空洞１１１ｂは、サイドカップルキャビティ１１１ａを介して左右一対の側方排気管１０８にそれぞれ連通している。左右一対の側方排気管１０８は、排気管１０７経由でイオンポンプ１１２に接続されて真空排気される。すなわち、加速管１１０は、側方排気管１０８を介して、イオンポンプ１１２により真空排気される。
加速管１１０には、導波管５１が連通している。導波管５１は、セラミック製のＲＦ窓５２及びロータリＲＦカプラ５０Ａ、５０Ｂ（−従動導波管系１１−）を経由してマイクロ波発生装置７０に連通している。ＲＦ窓５２は、導波管５１内に封入されたＳＦ６ガスの漏洩を防ぐとともに、マイクロ波を加速管１１０へ導入させる入口である。マイクロ波発生装置７０は、出力安定性に優れたクライストロン方式のものである。マイクロ波発生装置７０の電源回路は、システム制御装置８０に接続されている。
出射部１２０は、ヘッドカバー１０１で覆われたＸ線ヘッド１０の本体部の先端に設けられている。Ｘ線ターゲット１２１、ターゲット冷却板１２２、１次コリメータ１２３、フラットニングフィルタ１２４を備える。電子銃１０４から加速管１１０を経て、フラットニングフィルタ１２４に至るまでは電子ビームの光軸に沿って直列に並んでいる。そして、加速された電子線は、ターゲット排気室１１９を通って出射部１２０のターゲット１２１に入射する。
ターゲット１２１は、高エネルギの加速電子の入射により、制動輻射Ｘ線を出射する。制動Ｘ線の放射時に発生する熱による熱損傷を受けないように、ターゲット冷却板１２２が取り付けられている。ターゲット１２１には、タングステン、タンタル等の高融点金属単体又はこれらの合金を用いる。
１次コリメータ１２３は、タングステンなどのような放射線に対する遮蔽性に優れ、かつ熱中性子の発生の少ない材料でつくられている。ターゲット１２１からのＸ線を、所定のビーム幅に絞ってフラットニングフィルタ１２４に導く。
フラットニングフィルタ１２４は、ターゲット１２１から出射されるＸ線の強度を平均化して均一なドーズ分布を持つ治療用Ｘ線３ａとする。
更に、出射部１２０の先端側には２次コリメータ１２５及び線量計測用の電離箱１２６が取り付けられている。２次コリメータ１２５は、治療用のＸ線３ａが透過できないタングステンなどのような遮蔽性の高い材料で作られている。フラットニングフィルタ１２４からのＸ線を所定のビーム幅に絞った治療用Ｘ線３ａを、電離箱１２６に導く。この２次コリメータ１２５は、１次コリメータ１２３の端面部に着脱可能にねじ込まれている。
電離箱１２６は、通過するＸ線の線量を計測する。２次コリメータ１２５の先端に取り付けられ、所定の成分のガスが封入されている。そして、放電電荷を検出する検出回路（図示されず）が接続されている。この検出回路はシステム制御装置８０の入力側に接続されている。システム制御装置８０は、線量計測用電離箱１２６の入力信号に基づいてＸ線ヘッド１０から出射されるＸ線の線量を算出し、患者４が受ける治療用ドーズデータとしてメモリに保存するようになっている。
本発明の放射線治療装置６では、Ｘ線ヘッド１０は、全長が５００〜６００ｍｍ、幅５００ｍｍ、深さ３００ｍｍと小さく、重量６０〜８０ｋｇと軽量化もされていながら、高いエネルギーである４ＭｅＶ〜１０ＭｅＶの電子エネルギを有する治療用Ｘ線３ａを発生することが可能である。これは、高周波数（高エネルギー）のＣバンド（５．６ＧＨｚ）のマイクロ波を用いているため加速管１１０が小型軽量であること、加速管１１０が小さいため電子線を偏向させる偏向磁石及びその関連機器が不要であること、マイクロ波を発生させる装置（マイクロ波発生装置７０）をＸ線ヘッド１０の外側に配置していること、などの理由による。すなわち、全体の重量が軽量化されていること、及び、全体の大きさが小型化されていることで、Ｘ線ヘッド１０を少ない力で、俊敏かつ迅速に所望の場所へ移動させることが可能となる。
また、更に高周波数のＸバンドのマイクロ波を用いて加速可能な加速管を用いれば、更に小型・軽量化することが可能である。その場合、マイクロ波の周波数に合わせて各機器の設計を変更する（例示：従動導波管系１１の各構成の寸法や、加速管１１０の加速空洞１１１ｂ等の寸法を変更する）することにより、実施可能である。
なお、本実施例の装置では、上半後部の１／４球殻からの放射線の照射が可能であるが、非磁気型の精密検査装置を更に小型化し、これを治療用照射ヘッドの側に内包できるようにユニット化することにより、更に上半球全体からの放射線の照射が可能である。
次に、図６〜図８を参照して、Ｘ線ヘッド１０の２軸の首振り機構について詳しく説明する。
図６は、支持フレーム１０２に支持されたＸ線ヘッド１０を示す斜視図である。
図６に示すように、Ｘ線ヘッド１０のヘッドカバー１０１は、ジンバル構造を有する支持フレーム１０２に支持されている。支持フレーム１０２は、Ｘ線ヘッド１０の慣性中心を含む第１首振り軸Ｓ１及び第２首振り軸Ｓ２が通る位置座標に取り付けられている。そして、第１首振り機構１３１により、第１首振り軸Ｓ１のまわりをＲ１のように揺動する。同様に、第２首振り機構１３２により、第２首振り軸Ｓ２のまわりをＲ２のように揺動する。
図７は、支持フレームの２軸の首振り機構の構成を示す図である。図７（ａ）は全体、図７（ｂ）はＳ１首振り駆動用サーボモータ１３１ｂ、図７（ｃ）は、Ｓ２首振り駆動用サーボモータ１３２ｂ、図７（ｄ）は、一対のロータリＲＦカプラ５０Ａと５０Ｂを示す。
図７（ａ）に示すように、支持フレーム１０２には、従動型導波管系１１のロータリＲＦカプラ１６、及び、Ｓ１首振り駆動用サーボモータ１３１ｂが、第１首振り軸Ｓ１に沿って、対向する２辺にそれぞれ取り付けられている。同様に、一対のロータリＲＦカプラ５０Ａと５０Ｂ、及び、Ｓ２首振り駆動用サーボモータ１３２ｂが、第２首振り軸Ｓ２に沿って、前述の２辺と異なる対向する２辺にそれぞれ取り付けられている。
図７（ａ）及び（ｂ）に示すように、従動型導波管系１１のロータリＲＦカプラ１６は、支持フレーム１０２の一方の側の長辺の中央に取り付けられ、これと向き合うようにＳ１首振り駆動用サーボモータ１３１ｂの駆動軸１３１ａが第１首振り軸Ｓ１と重なるようにフレーム１０２の対向長辺の中央に取り付けられている。そして、Ｓ１首振り駆動用サーボモータ１３１は、アークガイドレール９上のヘッド周回移動機構６８に固定支持されている。サーボモータ駆動軸１３１ａを回転駆動させると、第１首振り軸Ｓ１まわりにＸ線ヘッド１０がＲ１のように首振りする。
図７（ａ）、（ｃ）及び（ｄ）に示すように、一対のロータリＲＦカプラ５０Ａ、５０Ｂは支持フレーム１０２の一方の側の短辺の中央に取り付けられ、これと向き合うようにＳ２首振り駆動用サーボモータ１３２ｂの駆動軸１３２ａが第２首振り軸Ｓ２と重なるようにフレーム１０２の対向短辺の中央に取り付けられている。そして、Ｓ２首振り駆動用サーボモータ１３２ｂの本体は、支持フレーム側のブラケット１０２ａに固定支持され、駆動軸１３２ａは、軸受１３３を介して支持フレーム１０２に回転可能に支持されている。サーボモータ駆動軸１３２ａを回転駆動させると、図７（ｃ）に示すように、Ｓ２ドライブ軸周りにＸ線ヘッド１０が首振りする。
図７（ａ）及び（ｄ）に示すように、従動型導波管系１１の各リンクアーム１３、１５内には、導波管５１が設けられ、各関節部１４、１６内には、ロータリＲＦカプラ５０が設けられ、更に一対のロータリＲＦカプラ５０Ａ、５０Ｂを通って、Ｘ線ヘッド１０内の加速管１１０にマイクロ波が導入されるようになっている。
次に、図８〜図１０を参照して、マイクロ波を伝達する導波路の関節部分であるロータリＲＦカプラについて説明する。
図８は、ロータリＲＦカプラ５０を内部に有する関節部の構成を示す図である。図８では、関節部１４ｃを代表として示しているが、関節部１４ａ、関節部１４ｂ、関節部１６、一対のロータリＲＦカプラ５０Ａ、５０Ｂについても同様である。
図８に示すように、リンクアーム１３、１５の中には、導波管５１が設けられ、関節部１４ａ〜１４ｃ、１６内のロータリＲＦカプラ５０により、導波管５１が電磁気的に連通している。
図９は、図８で示すロータリＲＦカプラ５０の構成の詳細を示す斜視図である。
図９に示すように、ロータリＲＦカプラ５０は、フランジ継手５３、５４により、導波管５１の各々に接続されている。そして、ロータリＲＦカプラ５０は、導波路５５ａの加速用のマイクロ波を軸回転で導波路５５ｂへ伝える。
図１０（ａ）は、図９のロータリＲＦカプラ５０の詳細を示す断面図である。図１０（ｂ）は、ロータリＲＦカプラ５０内のマイクロ波のモードの一例を示す。
図１０（ａ）に示すように、導波管５１の導波路５５ａ、５５ｂは、ロータリＲＦカプラ５０の回転部材５６、５７、軸受け５８、λ／４波長チョーク５９に取り囲まれた回転スペースに連通し、この中を図１０（ｂ）に例示するような管内モード（電気力線２ａ（２ｂ））でマイクロ波が導かれる。このようなロータリＲＦカプラ５０と導波管５１との組合せにより、地上に固定されたクライストロン等のマイクロ波発生装置７０から、移動するＸ線ヘッド１０へ加速用のマイクロ波を円滑に供給することが出来る。
次に、本発明の放射線治療装置の実施の形態の制御システムについて説明する。
図１１は、本発明の放射線治療装置の実施の形態の制御システムを示すブロック図である。
本実施例の制御システムは、治療用ベッドシステム７、Ｘ線ヘッドシステム８、リアルタイムイメージャ３０、イメージャ信号処理装置３１、マイクロ波発生装置７０、システム制御装置８０、システムユーティリティ９０を備える。実質的にはシステム制御装置８０が全体を統括して制御するシステム構成となる。
システム制御装置８０は、システム制御計算機を備え、コンピュータプログラムとしてのシステム管理アルゴリズム、画像追尾アルゴリズム、治療計画アルゴリズム、治療管理アルゴリズム、グラフィカルユーザインターフェース（ＧＵＩ）、インターロックアルゴリズムを含み、治療計画データベース、トレンド記録データベース、治療データベースを搭載している。また、システムモニタ（ディスプレイ）及びＢＩＴを含み、これを中心として他のシステムブロックがそれぞれ接続され、入出力信号のやりとりがなされる。
治療計画データベースは、医師が立てる治療計画に関する情報としての治療計画情報を格納している。治療計画情報は術前に行われる種々の検査に基づくものである。治療計画情報は、患者属性情報、患者画像情報、吸収線量情報、治療線量情報、患部位置情報等を互いに関連付けている。
ただし、患者属性情報は、患者４の氏名、生年月日等を示す。患者画像情報は、患者４のＸ線断層画像を示す。吸収線量情報は、患部５に対する放射線（Ｘ線）の吸収線量、その照射方法（回数、１回の吸収線量、照射方向（ルート））等を示す吸収線量設定に関する。治療線量情報は、患部５に対する放射線（Ｘ線）の治療線量、その照射方法（回数、１回の治療線量、照射方向（ルート））等を示す治療線量設定に関する。患部位置情報は、患部５の位置に関する。患部５の位置は、後述の定義領域５−１であっても良い。
トレンド記録データベースは、照射治療の実績に関する照射実績情報を格納している。照射実績情報は、治療の際に実際に照射した放射線（Ｘ線）に関するものである。照射実績情報は、患者属性情報、積算治療線量、積算吸収線量、照射方向（ポータル数）毎の治療線量、推定吸収量、目標座標（患部５における照射目標の座標）及び機械座標（実際に照射を行った照射野５’の座標）、等を互いに関連付けている。
治療データベースは、物質の種類、物質の厚みと放射線（Ｘ線）の吸収量との関係を示す放射線吸収量曲線、等を互いに関連付けて格納している。
システム管理アルゴリズムは、各アルゴリズム、ＧＵＩ、システムモニタ（ディスプレイ）及びＢＩＴ等のシステム制御装置８０全体を統括制御する。
治療計画アルゴリズムは、治療計画データベース（患者４のＸ線断層画像、吸収線量情報）と治療データベース（物質毎の放射線吸収量曲線）とに基づいて、治療線量情報（照射方向（ルート）毎のＸ線の治療線量、積算の治療線量）等を算出する。そして、ディスプレイに表示し、医師の確認を受ける。医師は、必要に応じて、照射方向やＸ線の吸収線量等を変化させて、所望の治療線量情報となるようにする。医師の確認後、治療計画データベースへ格納する。
治療管理アルゴリズムは、治療計画データベースの治療計画情報及び／又は画像追尾アルゴリズムからのＸ線ヘッド１０の首振り量に基づいて、Ｘ線ヘッド１０が所定の方向へ向くようにＸ線ヘッドシステム８を制御する。
また、治療中にイメージャ信号処理装置３１、Ｘ線ヘッドシステム８、画像追尾アルゴリズム等から得られる照射実績情報をトレンド記録データベースへ格納する。
画像追尾アルゴリズムは、イメージャ信号処理装置３１から得られる追尾用画像データに基づいて、患部５の座標を算出する。また、Ｘ線ヘッドシステム８から得られる各種データに基づいて、Ｘ線ヘッド１０の照射野５’の座標を求める。そして、患部５の座標と、照射野５’の座標とに基づいて、Ｘ線ヘッド１０の首振り量を算出する。
インターロックアルゴリズムは、所定の条件が満たされた場合において、治療用Ｘ線３ａや診断用Ｘ線３ｂを停止させる。所定の条件は、緊急停止ボタンが押された場合、照射野５’と患部５とが予め設定された距離以上に離れた場合、患者４に対する治療線量及び吸収線量の少なくとも一方が、それぞれに対して予め設定された許容値を超えた場合、治療用Ｘ線３ａを照射する際に診断用Ｘ線３ｂを停止する場合、診断用Ｘ線３ｂを照射する際に治療用Ｘ線３ａを停止する場合、等である。
リアルタイムイメージャ３０で検出されたＸ線透過データは、イメージャ信号処理装置３１内の画像再構成アルゴリズムにより診断画像に再構成され、システム制御装置８０に送信される。これにより画像診断が治療中にリアルタイムで生成され、医師はシステム制御装置８０のコンピュータディスプレイ上に表示された診断画像を観ながら治療を行うことが出来る。
マイクロ波発生装置７０は、クライストロンモジュレータ・アンド・リニアックシステム制御装置、クライストロン及びＲＦドライバを具備している。クライストロンは、従動型導波管系１１を介して、Ｘ線ヘッド１０に接続され、加速管１１０にマイクロ波を供給する供給源である。
Ｘ線ヘッドシステム８は、Ｘ線ヘッド１０、アイソセントリック駆動機構（アークガイドレール９、ガイドレール傾動機構２８、ヘッド周回移動機構６８を含む）、及び、首振り駆動機構（第１首振り機構１３１、第２首振り機構１３２及びロータリＲＦカプラ５０を含む）を備える。アイソセントリック駆動機構及び首振り駆動機構は、それぞれに対応した各ドライバ（アイソセントリック駆動ドライバ及び首振り駆動ドライバ）を介して、システム制御部８０に接続され、アイソセントリック照射時におけるＸ線ヘッド１０のヘッド周回駆動機構６８及び擬似アイソセントリック照射時におけるＸ線ヘッド１０の２軸首振り駆動がそれぞれ制御される。
次に、本発明である放射線治療装置の第１の実施の形態の動作について、添付図面を参照して説明する。
まず、本発明である放射線治療装置の第１の実施の形態の動作における、位置較正について説明する。
図１２は、放射線治療装置６の位置較正を説明する図である。図１２（ａ）は正面図、図１２（ｂ）は側面図を示す。図１〜図３に示す構成（説明省略）の他、治療用ベッド７−２上にＣＣＤカメラ６０が配設されている。
ＣＣＤカメラ６０は、その受光面の中心部がアイソセンタ５ａと重なり、受光面が水平となるように設置される。ＣＣＤカメラ６０は、レーザ強度分析器（図示されず）の接続されている。
Ｘ線ヘッド１０には、レーザ発信器（図示されず、例示：低出力小型のＨｅ−Ｎｅレーザなど）が、放射されるＸ線と同軸となるように設置される。
次に、位置較正の方法について説明する。
（１）ステップＳ１−１
図１２の状態において、Ｘ線ヘッド１０のレーザ発信器は、ＣＣＤカメラ６０へレーザを出力する。
（２）ステップＳ１−２
ＣＣＤカメラ６０は、レーザを受光する。そして、受光結果をレーザ強度分析器（図示されず）へ出力する。
（３）ステップＳ１−３
レーザ強度分析器（図示されず）は、レーザの強度分布を検出する。そして、アイソセンタ５ａ（＝ＣＣＤカメラ６０の受光面の中心）と、レーザ強度のピーク位置との変位（Ｘ軸方向、Ｙ軸方向、Ｚ軸方向を算出する。
（４）ステップＳ１−４
算出した変位を補正値としてシステム制御装置８０の記憶部（図示されず）へ格納する。
上記位置較正の方法により、非常に簡単な方法で短時間にアークガイドレール９のような大きな機械工作物における、工作時の歪み、自重等によるたわみ、取り付け時の応力等による位置ずれを精度良く補正することができ、位置精度を向上させることが可能となる。本実施例の場合、位置分解能を２０μｍ程度にすることが可能となった。
このような位置較正は、放射線治療装置６の設置時及び定期点検時に実施する。ただし、所定の使用回数毎、放射線治療毎に行っても良い。
次に、本発明の放射線治療装置の実施の形態の動作における、各動作の時間のタイミングについて説明する。
図１３は、本発明の放射線治療装置の実施の形態の動作におけるタイミングチャートである。図１３（ａ）は、診断画像を処理する動作のタイミング、図１３（ｂ）は、処理後の診断画像に基づく画像追尾計算及びＸ線ヘッド１０の首振り動作のタイミング、そして、図１３（ｃ）は、治療Ｘ線の照射のタイミングをそれぞれ示している。
（０）時間ｔ０以前
まず、放射線治療装置６のメインスイッチをＯＮにすると、治療用ベッドシステム７、Ｘ線ヘッドシステム８、リアルタイム・イメージャ３０、マイクロ波発生装置７０、システム制御装置８０、システムユーティリティ９０の電源がそれぞれ待機状態となる。治療用ベッドシステム７が作動して、患者４が治療用ベッド７−２とともに、治療エリア内に移動し、リアルタイム・イメージャ３０を作動させて患部５が治療装置のアイソセンタ５ａに一致するように治療用ベッド７−２を動かして位置合わせをする。このアイソセントリック位置合わせ完了後、リアルタイム・イメージャ３０によるリアルタイム画像診断とＸ線ヘッド１０による放射線治療とを開始する。
（１）ステップＳ２−１：時間ｔ０〜ｔ１
通常Ｘ線のカメラ（リアルタイム・イメージャ３０）は、診断用Ｘ線発生ユニットから診断用Ｘ線３ｂを照射野５’に照射する。そして、センサアレイで、そのＸ線透過データを診断画像データとして検出する。被爆を最小限とするため、診断用Ｘ線３ｂの照射時間は、ｔ０〜ｔ１に限定する。
（２）ステップＳ２−２：時間ｔ１〜ｔ２
検出された診断画像データは、透過Ｘ線量に比例した電流信号に変換され、プリアンプ、メインアンプを介して画像信号ディジタイザ及びデータ収録装置に取り込まれる。
（３）ステップＳ２−３：時間ｔ２〜ｔ３
収録された診断画像データは、データ収録装置からイメージャ信号処理装置３１へ出力される。そして、イメージャ信号処理装置３１の画像再構成アルゴリズムを用いて演算処理され、追尾用画像データに変換される。追尾用画像データは、放射線治療装置６の座標系の各座標点（Ｘｉ、Ｙｉ、Ｚｉ）、（ｉ＝１〜ｎ：ｎはデータ数）での診断画像を示すデータである。追尾用画像データは、システム制御装置８０へ出力される。
追尾用画像データは、患部５の（Ｘ線ＣＴ）診断画像としてシステム制御装置８０のディスプレイ上に再生表示される。
リアルタイム・イメージャ３０及びイメージャ信号処理装置３１は、時間ｔ３後、再び時間ｔ０〜ｔ３のプロセスを繰り返す。図１３中、時間ｔ０〜ｔ３のプロセス＝時間ｔ１０〜ｔ１３、時間ｔ２０〜ｔ２３…のプロセスである。
治療用Ｘ線３ａの直接線、漏洩線及び散乱線が、リアルタイム・イメージャ３０のセンサアレイ（検出器）に影響を与えないようにするため、少なくとも診断用Ｘ線３ｂを照射している時間ｔ０〜ｔ１においては、治療用Ｘ線３ａが照射されないように、Ｘ線ヘッド１０はインターロックされている。
これらの診断画像処理（ステップＳ２−１〜Ｓ２−３）にかかる合計時間ｔ０〜ｔ３は、０．０１秒である。すなわち、診断画像処理の１サイクル時間は、０．０１秒である。これは、心鼓動等の速い動きに追従する上では充分なサンプルレートである。
（４）ステップＳ２−４：時間ｔ３〜ｔ４
システム制御装置８０の画像追尾アルゴリズムを用いて、以下の画像追尾計算を行なう。
追尾用画像データに基づいて、患部５の座標（放射線治療装置６の座標系での座標点（Ｘ、Ｙ、Ｚ））を抽出する。一方、ガイドレール傾動機構２８、ヘッド周回移動機構６８、第１首振り機構１３１及び第２首振り機構１３２の位置（座標）、回転角等に基づいて、現在のＸ線ヘッド１０の照射野５’の座標（放射線治療装置６の座標系での座標点（ｘ、ｙ、ｚ））を算出する。そして、▲１▼２点間の距離Ｌ＝｜（Ｘ、Ｙ、Ｚ）−（ｘ、ｙ、ｚ）｜が予め設定された値Ｌ０２以下である場合、首振りをしないこととし、▲２▼距離Ｌが予め設定された値Ｌ０１以上である場合、首振り量をθ０とし、▲３▼Ｌ０２＜距離Ｌ＜Ｌ０１の場合、患部５の座標と照射野５’の座標とに基づいて、Ｘ線ヘッド１０の首振り量（θ１、θ２）を算出する。首振り量θ０は、例えば、距離Ｌ０１分だけ患部５の座標の方向へ向く角度である。
ただし、Ｘ線ヘッド１０の首振り量（θ１、θ２）は、Ｓ１首振りドライブ軸周りの微小変位角（首振り角）θ１（回転方向、回転角度の大きさ）及びＳ２首振りドライブ軸周りの微小変位角（首振り角）θ２（回転方向、回転角度の大きさ）である。
Ｌ０１は、時間ｔ４〜ｔ５の間にＸ線ヘッド１０が首振り可能な最大距離である。また、Ｌ０２は、患部５の座標点（Ｘ、Ｙ、Ｚ）及び照射野５’の座標点（ｘ、ｙ、ｚ）の算出の際に見込まれる誤差の値である。
この患部５の移動（運動）の状態（座標点（Ｘ、Ｙ、Ｚ））は、システム制御装置８０のディスプレイ上に表示される。ただし、患部５だけでなく、その周辺の領域（例示：患部５を含む輪郭線５−２（後述））を同様に示しても良い。
（５）ステップＳ２−５：時間ｔ４〜ｔ５
算出されたＸ線ヘッド１０の首振り量（θ１、θ２）に基づいて、システム制御装置８０の治療管理アルゴリズムにより、Ｘ線ヘッド１０の首振り量（θ１、θ２）を示す首振り駆動信号が、Ｘ線ヘッドシステム８へ出力される。
首振り駆動信号に基づいて、Ｘ線ヘッドシステム８のＸ線ヘッド首振り駆動ドライバにより、第１首振り機構１３１及び第２首振り機構１３２が駆動され、Ｘ線ヘッド１０が所望の方向へ向く。
システム制御装置８０は、時間ｔ５の後の時間ｔ１３から、再び時間ｔ３〜ｔ５のプロセスを繰り返す。図１３中では、時間ｔ３〜ｔ５のプロセス＝時間ｔ１３〜ｔ１５、時間ｔ２３〜ｔ２５…のプロセスである。
これらの画像追尾計算及びＸ線ヘッド首振り（ステップＳ２−４〜Ｓ２−５）にかかる合計時間ｔ３〜ｔ５は、０．０１秒である。すなわち、画像追尾計算及びＸ線ヘッド首振りの１サイクル時間は、０．０１秒である。これは、心鼓動等の速い動きに追従する上では充分なレートである。
第１首振り機構１３１のＳ１首振り駆動用サーボモータ１３１ｂ、及び、第２首振り機構１３２のＳ２首振り駆動用サーボモータ１３２ｂを駆動させている時間ｔ４〜ｔ５には、首振り角の誤動作の可能性があるため、治療用Ｘ線３ａが照射されないように、Ｘ線ヘッド１０はインターロックされ、安全性を確保するようにしている。
（６）ステップＳ２−６：時間ｔ５〜ｔ６
システム制御装置８０のシステム管理アルゴリズムを用いて、時間ｔ５に治療用Ｘ線３ａの照射を指示ずる信号としての治療Ｘ線照射信号がＸ線ヘッド１０へ出力される。Ｘ線ヘッド１０のインターロックが解除され、患部５への治療用Ｘ線３ａの照射が開始される。治療用Ｘ線３ａの照射時間ｔ５〜ｔ６は、０．００２５〜０．０１秒である。照射のデューティは、約５０％である。
システム制御装置８０は、時間ｔ６の後の時間ｔ１５から、再び時間ｔ５〜ｔ６のプロセスを繰り返す。図１３中では、時間ｔ５〜ｔ６のプロセス＝時間ｔ１５〜ｔ１６、時間ｔ２５〜ｔ２６…のプロセスである。
この治療Ｘ線照射（ステップＳ２−６）にかかる合計時間ｔ５〜ｔ６は、０．０１秒である。すなわち、治療Ｘ線照射の１サイクル時間は、０．０１秒である。これは、心鼓動等の速い動きに追従する上では充分なレートである。
ここで、Ｘ線ヘッド１０を首振りしながら治療Ｘ線３ａを照射する様子について、図面を参照して更に説明する。
図１４は、Ｘ線ヘッド１０による放射線治療の様子を示す斜視図である。Ｘ線ヘッド１０は、患部５へＸ線を照射する。
図１５及び図１６は、Ｘ線ヘッド１０を首振りしながら治療Ｘ線３ａを照射する様子を説明する図である。図１５は、図１４におけるＡ−Ａ断面、図１６は、図１４におけるＢ−Ｂ断面である。
照射野の移動に追従して照射するには、システム制御装置８０は、上記時間ｔ３〜ｔ４において、算出された患部５の位置（座標（Ｘ、Ｙ、Ｚ））と、現在のＸ線ヘッド１０の照射野５’の座標（ｘ、ｙ、ｚ））とに基づいて、Ｘ軸方向及びＹ軸方向における患部５の照射野５’からのシフト量ＤＶ１、ＤＶ２を算出する。そして、シフト量ＤＶ１、ＤＶ２に基づいて、所定の計算式を用いて、第１首振りドライブ軸Ｓ１及び第２首振りドライブ軸Ｓ２周りの移動による変位角θ１及びθ２をそれぞれ求める。
上記時間ｔ５〜ｔ６において、Ｘ線ヘッド１０を第１首振りドライブ軸Ｓ１の周りに変位角θ１、第２首振りドライブ軸Ｓ２の周りに変位角θ２だけ首振りさせる。そして、首振りを停止させると同時に、Ｘ線ヘッド１０から治療用Ｘ線３ａを出射する。
以上のステップＳ２−１〜ステップＳ２−６により、頚部以下の呼吸や心鼓動、蠕動や膀胱内の尿量等、臓器の運動や状態の影響を受けて動く腫瘍等の患部５に対して、Ｘ線ヘッド１０の照準が迅速かつ高応答に追従し、放射線（Ｘ線）を高精度に照射することが可能となる。すなわち、診断画像の処理時間を含めて０．０３秒以内にＸ線ヘッド１０を首振り動作させ、放射線（Ｘ線）を照射させることが出来、照射野（患部）の動きに対して迅速に追随させることが出来る。
上記プロセスでは、ステップＳ２−４：時間ｔ３〜ｔ４において、ステップＳ２−５でＸ線ヘッド１０に首振りさせる角度を所定の大きさに制限している。これは、首振り角度が大きくなると、首振りにかかる時間が長くなり、その間に患部５が更に移動してしまう。その結果として、Ｘ線ヘッド１０の照射野５’の座標点（ｘ、ｙ、ｚ）が、患部５の座標点（Ｘ、Ｙ、Ｚ）の位置から大きくずれてしまうからである。
Ｘ線ヘッド１０が追尾する患部５の早い動きは、呼吸及び心鼓動によるものである。この場合、患部５は、概ね同じ領域内（ただし、経路は必ずしも同じではない）で移動している。従って、一度、Ｘ線ヘッド１０の照射野５’の座標点（ｘ、ｙ、ｚ）と患部５の座標点（Ｘ、Ｙ、Ｚ）とが完全に一致しない場合があっても、その後一致させることは可能である。
診断画像データの取得や画像追尾計算に異常が生じた場合には、その時点で治療用Ｘ線３ａの照射にインターロックをかけて照射を停止させ、安全性を確保する。本装置では、Ｘ線ヘッド１０の首振り、及び位置決めが正常に行われたことを確認してから治療用Ｘ線３ａの照射がなされるように設計されている。
そして、照射野５’の座標点（ｘ、ｙ、ｚ）と患部５の座標点（Ｘ、Ｙ、Ｚ）とのずれが、予め設定された値以上の場合、そのサイクルでは、ステップＳ２−６（時間ｔ５〜ｔ６）での治療用Ｘ線３ａの照射を行なわない。
また、システム制御装置８０は、必要に応じて、ヘッド周回移動機構６８、傾斜機構２８及び治療用ベットシステム７を移動して、患部５にＸ線ヘッド１０の照準を合わせようにすることも可能である。
すなわち、システム制御装置８０は、時間ｔ３〜ｔ４において、患部５の座標と照射野５’の座標とに基づいて、Ｘ線ヘッド１０の首振り量（第１首振り機構１３１及び第２首振り機構１３２用）及び移動量（ヘッド周回移動機構６８、傾斜機構２８及び治療用ベットシステム７用）を算出する。次に、時間ｔ４〜ｔ５において、Ｘ線ヘッド１０の首振り量及び移動量をＸ線ヘッドシステム８へ出力する。そして、第１首振り機構１３１、第２首振り機構１３２、ヘッド周回移動機構６８、傾斜機構２８及び治療用ベットシステム７を移動して、患部５にＸ線ヘッド１０の照準を合わせる。
治療用Ｘ線３ａの照射直前、タイミングｔ１０に診断用ビーム３ｂの照射を開始し、次の診断画像処理サイクルｔ１０〜ｔ１３に移行する。次いで、診断用ビーム３ｂの照射終了後のタイミングｔ５にＸ線ヘッド１０のインターロックが解除され治療ビーム３ａの照射が開始される。
このようにして、診断画像処理サイクル（図１３中、０〜Ｔａ）：０．０１秒、画像追尾計算サイクル及びＸ線ヘッド首振りサイクル（図１３中、Ｔａ〜Ｔｂ）：０．０１秒、及び、治療Ｘ線照射サイクル（図１３中、Ｔｂ〜Ｔｃ）：０．０１秒の計０．０３秒（Ｔ０）のサイクルが繰り返される。すなわち、概ね１／３０秒毎に正確に放射線照射ヘッドを照射対象へ向けることができ、患部（治療野）が心鼓動のような最も速い動きを有していても、照射対象をリアルタイムに正確に追尾し、放射線を照射することが出来る。
次に、擬似ノンアイソセントリックな治療の手順について説明する。
図１７は、擬似ノンアイソセントリックな治療の手順をディスプレイの表示で示すフロー図である。
（１）ステップＳ３−１
放射線治療においては、医師が治療計画を立てる。その治療計画は術前に行われる種々の検査に基づくものである。それらの治療計画は、治療計画データベースに格納される。
更に、医師は手術中において、本発明の放射線治療装置を用いることにより、患部の病巣を直接的にリアルタイムで画像診断することにより高精度で確実性の高い放射線治療を行いことが出来る。
（２）ステップＳ３−２
図１７（ａ）に示すように、リアルタイム・イメージャ３０及びイメージャ信号処理装置３１を用いて患部５及びその近傍領域の診断画像が再構成され、システム制御装置８０のディスプレイ上に再生表示される。
診断画像の再構成は、上記ステップＳ２−１〜ステップＳ２−３により行われる。ただし、この段階では、ステップＳ２−４〜ステップＳ２−６は行なわない。
（３）ステップＳ３−３
図１７（ｂ）に示すように、医師は、ディスプレイ上で患部５の各断面図を確認して、画像追尾のための照射野５’の輪郭線を定義する。ここで、治療開始に先立って、照射野５’のマッピングは終了しており（治療計画データベース）、これを参考に複数のスライスで照射野５’の輪郭を定義する。輪郭で定義された領域は、定義領域５−１であり、定義領域５−１は患部５を含む。定義領域５−１は、治療計画データベースに格納される。
治療計画アルゴリズムは、治療計画データベース（定義領域５−１を含む）と治療データベースとに基づいて、治療線量情報（照射方向（ルート）毎のＸ線の治療線量、積算の治療線量）等を算出する。そして、ディスプレイに表示し、医師の確認を受ける。医師は、必要に応じて、照射方向やＸ線の吸収線量等を変化させて、所望の治療線量情報となるようにする。医師の確認後、治療線量情報は、治療計画データベースへ格納する。
（４）ステップＳ３−４
図１７（ｃ）に示すように、システム制御装置８０の画像追尾アルゴリズムにより、画像輪郭抽出を行う。すなわち、実際の患部５の診断画像と定義された定義領域５−１の輪郭線とのパターンマッチングを行い、輪郭線５−２として表示する（後述）。そして、画像追尾を開始する。医師は、画像追尾状況を目視で確認する。
画像追尾は、上記ステップＳ２−４により行われる。従って、上記ステップＳ２−１〜ステップＳ２−４が繰り返し行われる。ただし、この段階では、ステップＳ２−５〜ステップＳ２−６は行なわない。
（５）ステップＳ３−５
図１７（ｄ）に示すように、画像追尾が安定した後に、医師はマスターアームスイッチ（Ｍａｓｔｅｒ  Ａｒｍ  ＳＷ）を操作して、Ｘ線ヘッドシステム８をＡＲＭＥＤ状態にする。Ｘ線ヘッドシステム８は、照準をクロスヘアラインで照射ボリュームを赤色でディスプレイ上に表示する。そして、画像追尾と同時に、Ｘ線ヘッド１０の追尾（首振り）も行われる。画像及びＸ線ヘッド１０による追尾が継続しているため、照準及び照射ボリュームは、照射野５’の移動と共に自動的に追従する。
Ｘ線ヘッド１０の追尾（首振り）は、上記ステップＳ２−５により行われる。従って、上記ステップＳ２−１〜ステップＳ２−５が繰り返し行われる。ただし、この段階では治療用Ｘ線３ａの放出は行わないので、ステップＳ２−６は行なわない。
（６）ステップＳ３−６
図１７（ｅ）に示すように、医師のトリガ操作で治療用Ｘ線３ａの照射を開始する。治療計画の段階で予定の照射時間は決まっており、ディスプレイ上ではカウントダウンが開始される。その一方で、１回の照射の照射時間（ステップＳ２−６：時間ｔ５〜ｔ６）も決まっている。従って、短時間（時間ｔ５〜ｔ６）の照射を繰り返す間に、カウントが減少する。そして、最終的にゼロになると治療用Ｘ線３ａは自動的に停止する。治療用Ｘ線３ａの治療線量は、電離箱１２６により検出され、治療管理アルゴリズムへ出力される。
治療用Ｘ線３ａの照射は、上記ステップＳ２−６により行われる。従って、上記ステップＳ２−１〜ステップＳ２−６が繰り返し行われる。
また、治療管理アルゴリズムにより、治療中にイメージャ信号処理装置３１、Ｘ線ヘッドシステム８、画像追尾アルゴリズム等から得られる照射実績情報（の全部又は一部）が、ディスプレイ上に継続的に表示される。医師は、この照射実績情報（の全部又は一部）を確認しながら、トリガを引きつづけて照射を継続する。照射実績情報は、トレンド記録データベースへ格納する。
システム制御装置８０は、診断画像のサンプリング（追尾）、及び、治療用Ｘ線３ａの照射を高速に交互に続け、画像追尾と治療用Ｘ線の照射とをリアルタイムで継続する。カウントダウンがゼロになる前であっても、医師がトリガを離せば、そのタイミングで直ちに治療用Ｘ線３ａは停止するので、安全性は充分に確保される。
（７）ステップＳ３−７
図１７（ｆ）に示すように、医師はマスターアームスイッチをＳＡＦＥ位置として、システムを安全な状態にし、Ｘ線ヘッド１０を次の照射位置へ移動させる。
この段階では、上記ステップＳ２−１〜ステップＳ２−３により行われる。そして、ステップＳ２−４〜ステップＳ２−６は行なわない。
医師は各ポータルにおける照射終了時と一連の照射終了後に、累積被曝線量の総計にあたるトータルドウズ（Ｔｏｔａｌ  Ｄｏｓｅ）を確認する。すなわち、治療管理アルゴリズムにより、トレンド記録データベースからデータを読出し、累積線量及び１クール内の累積線量分布を画面に表示する。治療に関するデータは、トレンド記録データベース内の、患者４毎に作成される治療ファイル（照射実績情報を含む）に記憶される。
ここで、ステップＳ３−４における実際の患部５の診断画像と定義領域５−１の輪郭線とのパターンマッチングする方法について、更に説明する。
図１８は、患部５と定義領域５−１とパターンマッチングによる輪郭線５−２との関係を示す図である。図１８（ａ）は、患部５と定義領域５−１との関係を示し、図１８（ｂ）〜（ｅ）は、患部５と輪郭線５−２との関係を示す。
（１）ステップＳ４−１
医師は、図１８（ａ）のように、ディスプレイに描画可能なタッチペンで、あるいは、マウスのようなポインタで描画ツールの要領でディスプレイ上に定義領域５−１を示す。
（２）ステップＳ４−２
治療計画アルゴリズムは、ディスプレイ上に描かれた定義領域５−１と、ディスプレイ上の診断画像とに基づいて、定義領域５−１内の診断画像を抽出する。そして、その診断画像の形状、座標、明度分布を把握する。又は、図１８（ｂ）に示すような定義領域５−１の所定の割合（例示９０％）を占める明度範囲の形状を抽出することにより、その診断画像の形状、座標、明度分布を把握する。
（３）ステップＳ４−３
治療計画アルゴリズムは、定義領域５−１の範囲の形状、又は、所定の割合を示す明度範囲の形状について、その重心を求める。そして、ディスプレイ上に「＋」で表示する。例えば、定義領域５−１（図１８（ａ））の重心は、図１８（ｃ）のようになる。所定の割合を示す明度範囲（図１８（ｂ））の重心は、図１８（ｄ）のようになる。なお、図１８（ｅ）のように、単に定義領域５−１の中心だけ示しても良い。
以上により、パターンマッチングを終了する。
ディスプレイ上において、定義領域５−１の範囲、又は、所定の割合を示す明度範囲を示す明度範囲を特定の色で表示し、その他は他の色で表示するという２値化表示を行うことも可能である。定義領域５−１等が判別しやすくすることが出来る。
ただし、明度分布の把握は、以下のように行なう。
図１９は、診断画像における明度分布の一例を示すグラフである。縦軸は明度、横軸は診断画像の位置である。
診断画像の定義領域５−１における、明度は、グラフからＬ４〜Ｌ２の範囲となることがわかる。従って、定義領域５−１の明度範囲は、Ｌ４〜Ｌ２となる。
また、定義領域５−１の所定の割合（例示９０％）を占める明度範囲とは、明度範囲Ｌ４〜Ｌ２のうち、定義領域５−１の所定の割合（例示９０％）の面積を占めるように選択された連続する明度範囲Ｌ３〜Ｌ２である。
なお、同じ明度を示す他の位置は、定義領域５−１から離れているので、認識しない。
本実施の形態の治療装置によれば、画像処理を含めて０．０２秒以内に放射線照射ヘッド（Ｘ線ヘッド１０）を高速首振り動作させ、照射野（患部）の動きに対して追従させることができるので、高精度に放射線を照射（照射時間０．０１秒）することが出来る。このように患部の動きに対応して、高応答かつ高精度にノンアイソセントリック照射することが可能であるので、頚部以下の呼吸や心鼓動、蠕動や膀胱内の尿量等、臓器の運動や状態の影響を受けて腫瘍等の照射対象が移動する部位を治療対象とすることが出来るようになる。
なお、本実施例では、検査装置としてリアルタイム・イメージャ３０を放射線治療装置と組み合せた場合について説明したが、本発明はこれのみに限定されることなく、通常型のＸ線カメラ、特殊な用途ではＰＥＴ（Ｐｏｓｉｔｒｏｎ  Ｅｍｉｓｓｉｏｎ  Ｔｏｍｏｇｒａｐｈｙ）等の他の非磁気型検査装置を放射線治療装置と組み合わせることが可能である。
通常型のＸ線カメラの場合には、異なる目視線を持つ２つ以上のカメラが必要である。また、コントラストの低い軟部組織等は、イメージングできないため、骨組織等のコントラストの高いランドマークを元に予めＸ線ＣＴやＭＲＩ等で照射野の位置決めが出来るようにしておく。あるいは、小型の金プレート等を照射野付近に埋め込んでマーカとするか、もしくはＤＳＡ（Ｄｉｇｉｔａｌ  Ｓｕｂｔｒａｃｔｉｏｎ  Ａｎｇｉｏｇｒａｐｈｙ）のように造影剤や差分画像処理により画像強調出来るような工夫を行う。また、Ｘ線ＣＴやＰＥＴでは、リアルタイムイメージングのために、高速のリアルタイム画像再構成計算を行う。
（実施例２）
次に、図２０及び図２１を参照して、本発明の放射線治療装置の第２の実施の形態について説明する。なお、本実施の形態において、第１の実施の形態と重複する部分の説明を省略する。
図２０は、本発明の放射線治療装置の第２の実施の形態における構成を示す側面図である。また、図２１は、本発明の放射線治療装置の第２の実施の形態における回転ドラム（治療用ガントリ）の構成を示す正面図である。
本実施の形態の放射線治療装置６Ａでは、回転ドラム（治療用ガントリ）９９上に治療用のＸ線ヘッド１０、治療用Ｘ線源（ＣＴ用Ｘ線管）９７及びセンサアレイ９８を搭載している。すなわち、装置全体の構造としては、上記第１の実施の形態のリアルタイム・イメージャ３０である回転型のＸ線ＣＴ検査装置のドラム部の上部にＸ線ヘッド１０を装備した構造である。回転ドラム（治療用ガントリ）９９の回転中心は、アイソセンタ５ａである。Ｘ線ヘッド１０は、４ＭｅＶ〜１０ＭｅＶの電子リニアックからなり、図示のように、２軸（第１首振り軸Ｓ１、第２首振り軸Ｓ２）に首振り出来る。すなわち、これらの首振り動作によって、回転ドラムの回転軸周りのアイソセントリックな照射に加えて、２軸でのノンアイソセントリックな照射が可能である。なお、第２首振り軸Ｓ２の首振りには、回転ドラムの回転に伴う照準角度補正も含める。一方、第１首振り軸Ｓ１の首振りに関しての照準角度補正は不要である。
診断用Ｘ線源（ＣＴ用Ｘ線管）９７及びセンサアレイ９８は、治療用のＸ線ヘッド１０と干渉を生じない箇所にそれぞれ取り付けられ、診断用Ｘ線源（ＣＴ用Ｘ線管）９７とセンサアレイ９８とは互いに向き合っている。検出用のセンサアレイ９８は、Ｘ線用であり、マルチ配列（Ｍｕｌｔｉ  Ｒｏｗ）タイプの多列センサである。Ｘ線ＣＴやＰＥＴでは、リアルタイムイメージングに高速のリアルタイム画像再構成計算処理を行う。
（実施例３）
次に、図２２を参照して、本発明の第３の実施の形態について説明する。
なお、本実施の形態において、第１及び第２の実施の形態と重複する部分の説明を省略する。
図２２は、本発明の放射線治療装置の第３の実施の形態における回転ドラム（治療用ガントリ）の構成を示す正面図である。
本実施の形態の放射線治療装置６Ｂでは、回転ドラム（治療用ガントリ）９９上に治療用のＸ線ヘッド１０、通常のＸ線カメラを構成する２組のＸ線源９７Ａ、９７Ｂ及びセンサアレイ９８Ａ、９８Ｂのセットを搭載している。それらの相対位置は、所定の範囲内で固定されている。所定の範囲は、センサアレイ９８Ａ又はセンサアレイ９８Ｂ−アイソセンタ５ａ−Ｘ線ヘッド１０の成す角は、６０度〜２０度である。より好ましくは、４５度〜３０度である。これは、Ｘ線ヘッド１０、Ｘ線源９７Ａ及びＸ線源９７Ｂが、相互に影響を及ぼし合わずに、それぞれが正確に動作し、十分な精度を有する診断画像も得られる条件に基づいて設定される。
診断用Ｘ線源（ＣＴ用Ｘ線管）とセンサアレイとが装備された上記第２の実施の形態とは異なり、回転ドラム９９には、通常のＸ線カメラを構成する２組のＸ線源９７Ａ、９７Ｂ及びセンサアレイ９８Ａ、９８Ｂのセットを装備しており、Ｘ線源−センサアレイのセットの目視線は互いに一致しないようになっている。Ｘ線源９７Ａ及びＸ線源９７Ｂは、図２２におけるＸ線ヘッド１０−アイソセンタ５ａを結ぶ直線を挟んで互いに反対の側にある。センサアレイ９８Ａ及びセンサアレイ９８Ｂも、同様である。
これにより、患者４の体内の患部５やランドマーク、微小な金プレート等のＸ線透視画像を２軸で取得し、患者４の体内における各部位の動きを迅速かつ正確に把握することが出来る。なお、Ｘ線透視画像の画像強調方式としては、造影剤を用いてＤＳＡのような画像処理を行う方式も考えられる。
また、センサアレイ９８Ａ、９８Ｂは、Ｘ線ヘッド１０側に取り付けられているので、非常に強力なＸ線である治療用Ｘ線３ａがセンサアレイ９８Ａ、９８Ｂに入射することがない。
Ｘ線ヘッド１０は、４ＭｅＶ〜１０ＭｅＶの電子リニアックからなり、図示のように、２軸（第１首振り軸Ｓ１、第２首振り軸Ｓ２）に首振り出来る。すなわち、これらの首振り動作によって、回転ドラムの回転軸周りのアイソセントリックな照射に加えて、２軸でのノンアイソセントリックな照射が可能である。なお、第２首振り軸Ｓ２の首振りには、回転ドラムの回転に伴う照準角度補正も含める。一方、第１首振り軸Ｓ１の首振りに関しての照準角度補正は不要である。
（実施例４）
次に、図２４を参照して、本発明の第４の実施の形態について説明する。
なお、本実施の形態において、第１、第２及び第３の実施の形態と重複する部分の説明を省略する。
図２４は、本発明の放射線治療装置の第４の実施の形態の構成を示す斜視図である。
本実施の形態の放射線治療装置６Ｃは、リアルタイム・イメージャ（３０）としてＸ線ヘッド１０と、Ｘ線源９７Ａ、９７Ｂと、センサアレイ９８Ａ、９８Ｂとを具備する。
Ｘ線ヘッド１０は、アークガイドレール９に移動可能に設けられている。Ｘ線源９７Ａ、９７Ｂは、それぞれＸ線ヘッド１０のＹ軸方向の互いに異なる一方の側に固定されている。センサアレイ９８Ａ、９８Ｂは、それぞれＸ線源９７Ａ、９７Ｂにアイソセンタ５ａを経由して対向する位置に、Ｘ線源９７Ａ、９７Ｂに対する相対的な位置関係を固定して設けられている。Ｘ線源９７Ａ及びＸ線源９７Ｂは、図２４におけるＸ線ヘッド１０−アイソセンタ５ａを結ぶ直線を挟んで互いに反対の側にある。センサアレイ９８Ａ及びセンサアレイ９８Ｂも、同様である。
アークガイドレール９に治療用のＸ線ヘッド１０が搭載されている点で第１の実施の形態と同様である。また、通常のＸ線カメラを構成する２組のＸ線源９７Ａ、９７Ｂ及びセンサアレイ９８Ａ、９８ＢのセットをＸ線ヘッド１０に対して固定している点で、第３の実施の形態と同様である。搭載している。それらの相対位置は、所定の範囲内で固定されている。所定の範囲は、センサアレイ９８Ａ又はセンサアレイ９８Ｂ−アイソセンタ５ａ−Ｘ線ヘッド１０の成す角は、６０度〜２０度である。より好ましくは、４５度〜３０度である。これは、Ｘ線ヘッド１０、Ｘ線源９７Ａ及びＸ線源９７Ｂが、相互に影響を及ぼし合わずに、それぞれが正確に動作し、十分な精度を有する診断画像も得られる条件に基づいて設定される。
Ｘ線ＣＴ検査装置が装備された上記第１の実施の形態、回転ドラム９９に診断用Ｘ線源（ＣＴ用Ｘ線管）とセンサアレイとが装備された上記第２の実施の形態、回転ドラム９９に２組のＸ線源及びセンサアレイのセットが装備された上記第３の実施の形態とは異なり、あらゆる照射状況にいても、Ｘ線源−センサアレイのセットは、Ｘ線ヘッド１０に接続され、Ｘ線ヘッド１０に対して、固定された位置関係を有するように動作する
これにより、上記各実施の形態の動作の効果が得られるほかに、Ｘ線源−センサアレイのセットは、Ｘ線ヘッド１０に対して、固定された位置関係を有しているので、診断画像を取得する制御にかかる負担や、リアルタイム・イメージャの動作にかかる負担を大幅に低減することが出来る。
また、センサアレイ９８Ａ、９８Ｂは、Ｘ線ヘッド１０側に取り付けられているので、非常に強力なＸ線である治療用Ｘ線３ａがセンサアレイ９８Ａ、９８Ｂに入射することがない。
Ｘ線ヘッド１０は、４ＭｅＶ〜１０ＭｅＶの電子リニアックからなり、図示のように、２軸（第１首振り軸Ｓ１、第２首振り軸Ｓ２）に首振り出来る。すなわち、これらの首振り動作によって、回転ドラムの回転軸周りのアイソセントリックな照射に加えて、２軸でのノンアイソセントリックな照射が可能である。
本発明によれば、放射線ヘッド部全体のアイソセントリックな動きに加えて、ヘッド部自体をその慣性中心等の適当な回転中心の周りに１軸または２軸の首振り動作することにより、擬似的にノンアイソセントリックな照射治療が可能となり、その効果は、完全にノンアイソセントリックな照射治療装置に対して全く遜色の無いレベルのものが得られる。また、呼吸や心鼓動による照射野の移動に対応して高速に追従可能である。
本発明によれば、非磁気型の精密検査装置により、治療野を確認しながら放射線の照射位置及び照射時間等の条件を高精度に制御することが出来る。このため、臓器自体に動きが無い頭部の治療に適用できることは勿論、心臓や肺などの動きのある臓器の小病巣に対しても、放射線を正確に照射することが出来、放射線治療分野において、その用途を拡大することが可能となる。
本発明によれば、剛性の点で問題の多い片持型のロボットアームと異なり、高強度・高剛性の放射線ヘッド支持構造を採用することが出来、高い絶対精度を機械的に保証することが可能となる。このため、所要の効率的な治療が可能と成る。
ノンアイソセントリックな照射治療に所要の自由度を遥かに越える過剰な自由度を持つ汎用の産業用ロボットアームを適用するのは、患者の安全性の点で問題がある。すなわち、ロボットアームの誤動作等の事故の際にロボットアームもしくはその先端の放射線照射ヘッドが患者に接触して、患者に対して外傷的な危害が及ぶ可能性がある。これに対して、可動範囲が制限されており、患者に対する絶対的な安全性が確保できる。
従来技術では、照射治療中に照射野をリアルタイムに監視することができず、推定に基づく照射を余儀なくされていたが、本発明によれば、通常のＸ線カメラやＸ線ＣＴ、ＰＥＴ、ＤＳＡ等のイメージャで、照射治療中に照射野をリアルタイムで監視することが可能となり、信頼性・安全性の高い照射治療が可能となる。
また、リアルタイムに得られる上記の照射野画像を基にして画像追尾を行い、移動する照射野への追従照射が可能となる。
本発明の実施の形態に示されるマンマシンインタフェイスにより、安全性・信頼性に優れた放射線治療が可能となる。
【図面の簡単な説明】
図１は、本発明である放射線治療装置の第１の実施の形態における構成を示す側面図である。
図２は、本発明である放射線治療装置の第１の実施の形態における構成を示す正面図である。
図３は、本発明である放射線治療装置の第１の実施の形態における構成を示す斜視図である。
図４は、本発明である放射線治療装置に適用されるＸ線ヘッドの構成を示す図である。ただし、（ａ）全体図、（ｂ）（ａ）のＡＡ断面図、（ｃ）（ａ）のＢＢ断面図である。
図５は、図４（ｃ）の電子銃及び加速管近傍の拡大図である。
図６は、支持フレームに支持されたＸ線ヘッドを示す斜視図である。
図７は、支持フレームの２軸の首振り機構の構成を示す図である。ただし、（ａ）全体、（ｂ）Ｓ１首振り駆動用サーボモータ、（ｃ）Ｓ２首振り駆動用サーボモータ、（ｄ）一対のロータリＲＦカプラである。
図８は、ロータリＲＦカプラを内部に有する関節部の構成を示す図である。
図９は、図８で示すロータリＲＦカプラの構成の詳細を示す斜視図である。
図１０は、（ａ）図９のロータリＲＦカプラの詳細を示す断面図である。（ｂ）ロータリＲＦカプラ内のマイクロ波のモードの一例を示す。
図１１は、本発明である放射線治療装置の実施の形態の制御システムを示すブロック図である。
図１２は、放射線治療装置の位置較正を説明する図である。ただし、（ａ）正面図、（ｂ）側面図を示す。
図１３は、本発明である放射線治療装置の実施の形態の動作におけるタイミングチャートである。ただし、（ａ）診断画像を処理する動作のタイミング、（ｂ）処理後の診断画像に基づく画像追尾計算及びＸ線ヘッドの首振り動作のタイミング、（ｃ）治療Ｘ線の照射のタイミングである。
図１４は、Ｘ線ヘッドによる放射線治療の様子を示す斜視図である。
図１５は、Ｘ線ヘッドを首振りしながら治療Ｘ線を照射する様子を説明する図であり、図１４におけるＡ−Ａ断面を示す。
図１６は、Ｘ線ヘッドを首振りしながら治療Ｘ線を照射する様子を説明する図であり、図１４におけるＢ−Ｂ断面を示す。
図１７は、（ａ）〜（ｆ）擬似ノンアイソセントリックな治療の手順をディスプレイの表示で示すフロー図である。
図１８は、患部と定義領域とパターンマッチングによる輪郭線との関係を示す図である。ただし、（ａ）患部と定義領域との関係、（ｂ）〜（ｅ）患部と輪郭線との関係を示す。
図１９は、診断画像における明度分布の一例を示すグラフである。
図２０は、本発明である放射線治療装置の第２の実施の形態における構成を示す側面図である。
図２１は、本発明である放射線治療装置の第２の実施の形態における回転ドラム（治療用ガントリ）の構成を示す正面図である。
図２２は、本発明である放射線治療装置の第３の実施の形態における回転ドラム（治療用ガントリ）の構成を示す正面図である。
図２３は、本発明である放射線治療装置の第１の実施の形態の他の構成を示す斜視図である。
図２４は、本発明である放射線治療装置の第４の実施の形態の構成を示す斜視図である。
【図１】
0003872789.tif 000002
【図２】
0003872789.tif 000003
【図３】
0003872789.tif 000004
【図４】
0003872789.tif 000005
【図５】
0003872789.tif 000006
【図６】
0003872789.tif 000007
【図７】
0003872789.tif 000008
【図８】
0003872789.tif 000009
【図９】
0003872789.tif 000010
【図１０】
0003872789.tif 000011
【図１１】
0003872789.tif 000012
【図１２】
0003872789.tif 000013
【図１３】
0003872789.tif 000014
【図１４】
0003872789.tif 000015
【図１５】
0003872789.tif 000016
【図１６】
0003872789.tif 000017
【図１７】
0003872789.tif 000018
【図１８】
0003872789.tif 000019
【図１９】
0003872789.tif 000020
【図２０】
0003872789.tif 000021
【図２１】
0003872789.tif 000022
【図２２】
0003872789.tif 000023
【図２３】
0003872789.tif 000024
【図２４】
0003872789.tif 000025